(57)【要約】  １つまたは複数のデバイスから受信された１つまたは複数のアクセスポイントへの経路損失測定値に少なくとも部分的に基づいて１つまたは複数のデバイスの送信電力キャップを判断するための方法および装置が提供される。また、アクセスポイントと通信しているデバイスに割り当てるための共通の送信電力キャップが計算され得、ワイヤレスネットワーク中のシグナリングを温存するために、送信電力が共通の電力キャップにあるかまたは共通の電力キャップからのしきい値レベルであるとき、所与のデバイスの送信電力キャップが調整され得る。送信電力キャップの調整は、追加または代替として、デバイスからの信号、１つまたは複数のアクセスポイントからの干渉報告などに関係するアクセスポイントにおける受信電力に基づくことができる。
2013539614.tif 000002
【特許請求の範囲】
【請求項１】
少なくともアクセスポイントにおいて干渉を緩和するためにデバイスの送信電力キャップを判断するための方法であって、
デバイスから少なくとも１つのアクセスポイントへの経路損失測定値を受信することと、
前記経路損失測定値に少なくとも部分的に基づいて１つまたは複数のデバイスの送信電力キャップを計算することと、
前記１つまたは複数のデバイスに、前記送信電力キャップに従って通信させることと
を備える、方法。
【請求項２】
前記送信電力キャップが前記１つまたは複数のデバイスについて共通であり、前記送信電力キャップを前記計算することが、前記デバイスまたは前記１つまたは複数のデバイスの少なくとも一部から受信される前記少なくとも１つのアクセスポイントまたは他のアクセスポイントへの他の経路損失測定値にさらに基づく、請求項１に記載の方法。
【請求項３】
前記送信電力キャップを前記計算することが、前記経路損失測定値または前記他の経路損失測定値に少なくとも部分的に基づいて前記少なくとも１つのアクセスポイントまたは前記他のアクセスポイントについて計算された１つまたは複数の基準送信電力の最小値を判断することを備える、請求項２に記載の方法。
【請求項４】
デバイス送信電力が前記送信電力キャップにあるかまたは前記送信電力キャップからのしきい値レベルであると判断すること、あるいは前記１つまたは複数のデバイスからの１つまたは複数の信号の受信電力が受信電力しきい値にあるかまたは前記受信電力しきい値を超えたと判断することに少なくとも部分的に基づいて、前記１つまたは複数のデバイスの前記送信電力キャップを調整することをさらに備える、請求項２に記載の方法。
【請求項５】
前記送信電力キャップを前記調整することが、
前記デバイスまたは前記１つまたは複数のデバイスから前記少なくとも１つのアクセスポイントまたは前記他のアクセスポイントへの１つまたは複数の追加の経路損失測定値を要求することと、
前記１つまたは複数の追加の経路損失測定値に少なくとも部分的に基づいて調整された送信電力キャップを計算することと、
前記１つまたは複数のデバイスに、前記調整された送信電力キャップに従って通信させることと
を備える、請求項４に記載の方法。
【請求項６】
前記調整された送信電力キャップを前記計算することが、前記少なくとも１つのアクセスポイントのタイプに少なくとも部分的にさらに基づく、請求項５に記載の方法。
【請求項７】
前記１つまたは複数の追加の経路損失測定値を前記要求することが、前記少なくとも１つのアクセスポイントについての要求された経路損失測定値が受信されていないと判断することと、前記少なくとも１つのアクセスポイントの異なる動作周波数上で前記少なくとも１つのアクセスポイントについての前記１つまたは複数の追加の経路損失測定値を要求することとを備える、請求項５に記載の方法。
【請求項８】
前記デバイス送信電力が前記送信電力キャップにあるかまたは前記送信電力キャップからの前記しきい値レベルであると前記判断することが、前記１つまたは複数のデバイスからの指示に少なくとも部分的に基づく、請求項４に記載の方法。
【請求項９】
前記デバイスからの前記経路損失測定値に少なくとも部分的に基づいて前記受信電力しきい値を生成することをさらに備える、請求項４に記載の方法。
【請求項１０】
前記１つまたは複数のデバイスからの少なくとも何らかの干渉を示す干渉報告を別のアクセスポイントから受信することに少なくとも部分的に基づいて、前記１つまたは複数のデバイスの前記送信電力キャップを調整することをさらに備える、請求項２に記載の方法。
【請求項１１】
前記干渉報告が、前記別のアクセスポイントにおける総干渉レベルと、前記１つまたは複数のデバイスを含む支配的干渉デバイスのリストとを備える、請求項１０に記載の方法。
【請求項１２】
前記送信電力キャップを前記調整することが、前記送信電力キャップを前記総干渉レベルと所望の干渉レベルとの間の差に基づく量に調整することを備える、請求項１１に記載の方法。
【請求項１３】
前記送信電力キャップを前記計算することが、前記少なくとも１つのアクセスポイントの雑音フロアと、キャッピングしきい値とに少なくとも部分的にさらに基づく、請求項１に記載の方法。
【請求項１４】
前記少なくとも１つのアクセスポイントのタイプまたはサービスされるデバイスの数のうちの少なくとも１つに少なくとも部分的に基づいて前記キャッピングしきい値を判断することをさらに備える、請求項１３に記載の方法。
【請求項１５】
前記デバイスがコロケート・ネットワーク・リスニングモジュール構成要素である、請求項１に記載の方法。
【請求項１６】
前記１つまたは複数のデバイスに、前記送信電力キャップに従って前記通信させることが、前記１つまたは複数のデバイスに前記送信電力キャップを通信することを備える、請求項１に記載の方法。
【請求項１７】
前記１つまたは複数のデバイスに、前記送信電力キャップに従って前記通信させることが、１つまたは複数のアクセスポイントと通信する際に前記送信電力キャップを利用することを備える、請求項１に記載の方法。
【請求項１８】
前記経路損失測定値を前記受信することが、１つまたは複数の電力測定値を受信することと、前記１つまたは複数の電力測定値に少なくとも部分的に基づいて前記経路損失測定値を判断することとを備える、請求項１に記載の方法。
【請求項１９】
タイマーまたは他のイベントに従って少なくとも１つのデバイスから前記少なくとも１つのアクセスポイントへの追加の経路損失測定値を受信することと、
前記追加の経路損失測定値に少なくとも部分的に基づいて前記１つまたは複数のデバイスの追加の送信電力キャップを計算することと、
前記１つまたは複数のデバイスに、前記追加の送信電力キャップに従って通信させることと
をさらに備える、請求項１に記載の方法。
【請求項２０】
前記少なくとも１つのアクセスポイントが、前記デバイスから前記経路損失測定値を受信するアクセスポイントと同じ周波数または隣接する周波数において動作する、請求項１に記載の方法。
【請求項２１】
前記経路損失測定値を前記受信することが、前記少なくとも１つのアクセスポイントに対応する前記デバイスから取得された受信信号コード電力と、前記少なくとも１つのアクセスポイントからのパイロット信号の受信ダウンリンク送信電力とに少なくとも部分的に基づいて前記経路損失測定値を計算することを備える、請求項１に記載の方法。
【請求項２２】
少なくともアクセスポイントにおいて干渉を緩和するためにデバイスの送信電力キャップを判断するための装置であって、
デバイスから少なくとも１つのアクセスポイントへの経路損失測定値を受信することと、
前記経路損失測定値に少なくとも部分的に基づいて１つまたは複数のデバイスの送信電力キャップを計算することと、
前記１つまたは複数のデバイスに、前記送信電力キャップに従って通信させることと
を行うように構成された少なくとも１つのプロセッサと、
前記少なくとも１つのプロセッサに結合されたメモリと
を備える、装置。
【請求項２３】
前記送信電力キャップが前記１つまたは複数のデバイスについて共通であり、前記少なくとも１つのプロセッサが、前記１つまたは複数のデバイスから受信される前記少なくとも１つのアクセスポイントまたは他のアクセスポイントへの他の経路損失測定値にさらに基づいて前記送信電力キャップを計算する、請求項２２に記載の装置。
【請求項２４】
前記少なくとも１つのプロセッサが、前記経路損失測定値または前記他の経路損失測定値に少なくとも部分的に基づいて前記少なくとも１つのアクセスポイントまたは前記他のアクセスポイントについて計算された１つまたは複数の基準送信電力の最小値を判断することに少なくとも部分的によって前記送信電力キャップを計算する、請求項２３に記載の装置。
【請求項２５】
前記少なくとも１つのプロセッサは、デバイス送信電力が前記送信電力キャップにあるかまたは前記送信電力キャップからのしきい値レベルであると判断すること、あるいは前記１つまたは複数のデバイスからの１つまたは複数の信号の受信電力が受信電力しきい値にあるかまたは前記受信電力しきい値を超えたと判断することに少なくとも部分的に基づいて、前記デバイスの前記送信電力キャップを調整するようにさらに構成された、請求項２３に記載の装置。
【請求項２６】
前記少なくとも１つのプロセッサが、前記１つまたは複数のデバイスからの少なくとも何らかの干渉を示す干渉報告を別のアクセスポイントから受信することに少なくとも部分的に基づいて、前記１つまたは複数のデバイスの前記送信電力キャップを調整するようにさらに構成された、請求項２３に記載の装置。
【請求項２７】
前記少なくとも１つのプロセッサが、前記少なくとも１つのアクセスポイントの雑音フロアと、キャッピングしきい値とに少なくとも部分的にさらに基づいて前記送信電力キャップを計算する、請求項２２に記載の装置。
【請求項２８】
前記デバイスがコロケート・ネットワーク・リスニングモジュール構成要素である、請求項２２に記載の装置。
【請求項２９】
少なくともアクセスポイントにおいて干渉を緩和するためにデバイスの送信電力キャップを判断するための装置であって、
デバイスから少なくとも１つのアクセスポイントへの経路損失測定値を受信するための手段と、
前記経路損失測定値に少なくとも部分的に基づいて１つまたは複数のデバイスの送信電力キャップを計算するための手段と、
前記１つまたは複数のデバイスに、前記送信電力キャップに従って通信させるための手段と
を備える、装置。
【請求項３０】
前記送信電力キャップが前記１つまたは複数のデバイスについて共通であり、前記計算するための手段が、前記１つまたは複数のデバイスから受信される前記少なくとも１つのアクセスポイントまたは他のアクセスポイントへの他の経路損失測定値にさらに基づいて前記送信電力キャップを計算する、請求項２９に記載の装置。
【請求項３１】
前記計算するための手段が、前記経路損失測定値または前記他の経路損失測定値に少なくとも部分的に基づいて前記少なくとも１つのアクセスポイントまたは前記他のアクセスポイントについて計算された１つまたは複数の基準送信電力の最小値を判断することに少なくとも部分的によって前記送信電力キャップを計算する、請求項３０に記載の装置。
【請求項３２】
デバイス送信電力が前記送信電力キャップにあるかまたは前記送信電力キャップからのしきい値レベルにあると判断するか、あるいは前記デバイスからの１つまたは複数の信号の受信電力が受信電力しきい値にあるかまたは前記受信電力しきい値を超えたと判断するための手段をさらに備え、前記計算するための手段が、前記判断に少なくとも部分的に基づいて前記１つまたは複数のデバイスの前記送信電力キャップを調整する、請求項３０に記載の装置。
【請求項３３】
前記１つまたは複数のデバイスからの少なくとも何らかの干渉を示す干渉報告を別のアクセスポイントから受信するための手段をさらに備え、前記計算するための手段が、前記干渉報告に少なくとも部分的に基づいて前記１つまたは複数のデバイスの前記送信電力キャップを調整する、請求項３０に記載の装置。
【請求項３４】
前記計算するための手段が、前記少なくとも１つのアクセスポイントの雑音フロアと、キャッピングしきい値とに少なくとも部分的にさらに基づいて前記送信電力キャップを計算する、請求項２９に記載の装置。
【請求項３５】
前記デバイスがコロケート・ネットワーク・リスニングモジュール構成要素である、請求項２９に記載の装置。
【請求項３６】
少なくともアクセスポイントにおいて干渉を緩和するためにデバイスの送信電力キャップを判断するためのコンピュータプログラム製品であって、
デバイスから少なくとも１つのアクセスポイントへの経路損失測定値を受信することを少なくとも１つのコンピュータに行わせるためのコードと、
前記経路損失測定値に少なくとも部分的に基づいて１つまたは複数のデバイスの送信電力キャップを計算することを前記少なくとも１つのコンピュータに行わせるためのコードと、
前記１つまたは複数のデバイスに、前記送信電力キャップに従って通信させることを前記少なくとも１つのコンピュータに行わせるためのコードと
を備える、コンピュータ可読媒体
を備える、コンピュータプログラム製品。
【請求項３７】
前記送信電力キャップが前記１つまたは複数のデバイスについて共通であり、計算することを前記少なくとも１つのコンピュータに行わせるための前記コードが、前記１つまたは複数のデバイスから受信される前記少なくとも１つのアクセスポイントまたは他のアクセスポイントへの他の経路損失測定値にさらに基づいて前記送信電力キャップを計算する、請求項３６に記載のコンピュータプログラム製品。
【請求項３８】
計算することを前記少なくとも１つのコンピュータに行わせるための前記コードが、前記経路損失測定値または前記他の経路損失測定値に少なくとも部分的に基づいて前記少なくとも１つのアクセスポイントまたは前記他のアクセスポイントについて計算された１つまたは複数の基準送信電力の最小値を判断することに少なくとも部分的によって前記送信電力キャップを計算する、請求項３７に記載のコンピュータプログラム製品。
【請求項３９】
前記コンピュータ可読媒体は、デバイス送信電力が前記送信電力キャップにあるかまたは少なくとも前記送信電力キャップからのしきい値レベルであると判断すること、あるいは前記１つまたは複数のデバイスからの１つまたは複数の信号の受信電力が受信電力しきい値にあるかまたは前記受信電力しきい値を超えたと判断することに少なくとも部分的に基づいて、前記１つまたは複数のデバイスの前記送信電力キャップを調整することを前記少なくとも１つのコンピュータに行わせるためのコードをさらに備える、請求項３７に記載のコンピュータプログラム製品。
【請求項４０】
前記コンピュータ可読媒体が、前記１つまたは複数のデバイスからの少なくとも何らかの干渉を示す干渉報告を別のアクセスポイントから受信することに少なくとも部分的に基づいて、前記１つまたは複数のデバイスの前記送信電力キャップを調整することを前記少なくとも１つのコンピュータに行わせるためのコードをさらに備える、請求項３７に記載のコンピュータプログラム製品。
【請求項４１】
計算することを前記少なくとも１つのコンピュータに行わせるための前記コードが、前記少なくとも１つのアクセスポイントの雑音フロアと、キャッピングしきい値とに少なくとも部分的にさらに基づいて前記送信電力キャップを計算する、請求項３６に記載のコンピュータプログラム製品。
【請求項４２】
前記デバイスがコロケート・ネットワーク・リスニングモジュール構成要素である、請求項３６に記載のコンピュータプログラム製品。
【請求項４３】
少なくともアクセスポイントにおいて干渉を緩和するためにデバイスの送信電力キャップを判断するための装置であって、
デバイスから少なくとも１つのアクセスポイントへの経路損失測定値を取得するための経路損失受信構成要素と、
前記経路損失測定値に少なくとも部分的に基づいて１つまたは複数のデバイスの送信電力キャップを計算するためのＴｘ電力キャップ計算構成要素と、
前記１つまたは複数のデバイスに、前記送信電力キャップに従って通信させるための構成要素と
を備える、装置。
【請求項４４】
前記送信電力キャップが前記１つまたは複数のデバイスについて共通であり、前記Ｔｘ電力キャップ計算構成要素が、前記１つまたは複数のデバイスから受信される前記少なくとも１つのアクセスポイントまたは他のアクセスポイントへの他の経路損失測定値にさらに基づいて前記送信電力キャップを計算する、請求項４３に記載の装置。
【請求項４５】
前記Ｔｘ電力キャップ計算構成要素が、前記経路損失測定値または前記他の経路損失測定値に少なくとも部分的に基づいて前記少なくとも１つのアクセスポイントまたは前記他のアクセスポイントについて計算された１つまたは複数の基準送信電力の最小値を判断することに少なくとも部分的によって前記送信電力キャップを計算する、請求項４４に記載の装置。
【請求項４６】
デバイス送信電力が前記送信電力キャップにあるかまたは少なくとも前記送信電力キャップからのしきい値レベルであると判断するか、あるいは前記１つまたは複数のデバイスからの１つまたは複数の信号の受信電力が受信電力しきい値にあるかまたは前記受信電力しきい値を超えたと判断するためのキャップ調整トリガ構成要素をさらに備え、前記Ｔｘ電力キャップ計算構成要素が、前記判断に少なくとも部分的に基づいて前記１つまたは複数のデバイスの前記送信電力キャップを調整する、請求項４４に記載の装置。
【請求項４７】
前記キャップ調整トリガ構成要素によって前記判断することに少なくとも部分的に基づいて、前記デバイスあるいは前記１つまたは複数のデバイスから前記少なくとも１つのアクセスポイントあるいは前記他のアクセスポイントへの１つまたは複数の追加の経路損失測定値を要求するための測定要求構成要素をさらに備え、前記Ｔｘ電力キャップ計算構成要素が、前記１つまたは複数の追加の経路損失測定値に少なくとも部分的に基づいて、調整された送信電力キャップを計算することに少なくとも部分的によって前記送信電力キャップを調整し、Ｔｘ電力キャップ提供構成要素が、前記調整された送信電力キャップを前記１つまたは複数のデバイスに通信する、請求項４６に記載の装置。
【請求項４８】
前記Ｔｘ電力キャップ計算構成要素が、前記少なくとも１つのアクセスポイントのタイプに少なくとも部分的にさらに基づいて前記調整された送信電力キャップを計算する、請求項４７に記載の装置。
【請求項４９】
前記測定要求構成要素が、前記少なくとも１つのアクセスポイントについての要求された経路損失測定値が受信されていないと判断し、前記少なくとも１つのアクセスポイントの異なる動作周波数上で前記少なくとも１つのアクセスポイントについての前記１つまたは複数の追加の経路損失測定値を要求する、請求項４７に記載の装置。
【請求項５０】
前記キャップ調整トリガ構成要素が、前記１つまたは複数のデバイスからの指示に少なくとも部分的に基づいて、前記デバイス送信電力が前記送信電力キャップにあるかまたは少なくとも前記送信電力キャップからの前記しきい値レベルであると判断する、請求項４６に記載の装置。
【請求項５１】
前記キャップ調整トリガ構成要素が、前記デバイスからの前記経路損失測定値に少なくとも部分的に基づいて前記受信電力しきい値を生成する、請求項４６に記載の装置。
【請求項５２】
前記１つまたは複数のデバイスからの少なくとも何らかの干渉を示す干渉報告を別のアクセスポイントから取得するための干渉報告受信構成要素をさらに備え、前記Ｔｘ電力キャップ計算構成要素が、前記干渉報告に少なくとも部分的に基づいて前記１つまたは複数のデバイスの前記送信電力キャップを調整する、請求項４４に記載の装置。
【請求項５３】
前記干渉報告が、前記別のアクセスポイントにおける総干渉レベルと、前記１つまたは複数のデバイスを含む支配的干渉デバイスのリストとを備える、請求項５２に記載の装置。
【請求項５４】
前記Ｔｘ電力キャップ計算構成要素が、前記送信電力キャップを前記総干渉レベルと所望の干渉レベルとの間の差に基づく量に調整することに少なくとも部分的によって前記送信電力キャップを調整する、請求項５３に記載の装置。
【請求項５５】
前記Ｔｘ電力キャップ計算構成要素が、前記少なくとも１つのアクセスポイントの雑音フロアと、キャッピングしきい値とに少なくとも部分的にさらに基づいて前記送信電力キャップを計算する、請求項４３に記載の装置。
【請求項５６】
前記Ｔｘ電力キャップ計算構成要素が、前記少なくとも１つのアクセスポイントのタイプまたはサービスされるデバイスの数のうちの少なくとも１つに少なくとも部分的に基づいて前記キャッピングしきい値を判断する、請求項５５に記載の装置。
【請求項５７】
前記デバイスがコロケート・ネットワーク・リスニングモジュール構成要素である、請求項４３に記載の装置。
【請求項５８】
前記構成要素が、前記１つまたは複数のデバイスに、前記送信電力キャップに従って通信させるために、前記１つまたは複数のデバイスに前記送信電力キャップをシグナリングするＴｘ電力キャップ提供構成要素である、請求項４３に記載の装置。
【請求項５９】
前記構成要素が、前記Ｔｘ電力キャップを取得し、前記送信電力キャップに従って通信するＴｘ電力キャップ受信構成要素である、請求項４３に記載の装置。
【請求項６０】
前記経路損失受信構成要素が、１つまたは複数の電力測定値を受信し、前記１つまたは複数の電力測定値に少なくとも部分的に基づいて前記経路損失測定値を判断する、請求項４３に記載の装置。
【請求項６１】
前記経路損失受信構成要素が、タイマーまたは他のイベントに従って少なくとも１つのデバイスから前記少なくとも１つのアクセスポイントへの追加の経路損失測定値を受信し、前記Ｔｘ電力キャップ計算構成要素が、前記追加の経路損失測定値に少なくとも部分的に基づいて前記１つまたは複数のデバイスの追加の送信電力キャップを計算し、前記構成要素が、前記１つまたは複数のデバイスに、前記追加の送信電力キャップに従って通信させる、請求項４３に記載の装置。
【請求項６２】
前記少なくとも１つのアクセスポイントが、前記デバイスから前記経路損失測定値を受信するアクセスポイントと同じ周波数または隣接する周波数において動作する、請求項４３に記載の装置。
【請求項６３】
前記経路損失受信構成要素が、前記少なくとも１つのアクセスポイントに対応する前記デバイスから取得された受信信号コード電力と、前記少なくとも１つのアクセスポイントからのパイロット信号の受信ダウンリンク送信電力とに少なくとも部分的に基づいて前記経路損失測定値を計算する、請求項４３に記載の装置。
【請求項６４】
少なくともアクセスポイントにおいて干渉を緩和するためにデバイスの送信電力キャップを調整することを判断する方法であって、
アクセスポイントから送信電力キャップを取得することと、
前記アクセスポイントに１つまたは複数の信号を送信するために利用される送信電力が前記送信電力キャップにあるかまたは少なくとも前記送信電力キャップからのしきい値レベルにあると判断することと、
前記送信電力が前記送信電力キャップにあるかまたは少なくとも前記送信電力キャップからの前記しきい値レベルであることを前記アクセスポイントに通知することと
を備える、方法。
【請求項６５】
前記アクセスポイントから１つまたは複数の経路損失測定を実行するようにとの要求を受信することと、
１つまたは複数の他のアクセスポイントあるいは前記アクセスポイントへの前記１つまたは複数の経路損失測定を実行することと、
前記アクセスポイントに前記１つまたは複数の経路損失測定を通信することと
をさらに備える、請求項６４に記載の方法。
【請求項６６】
前記１つまたは複数の経路損失測定を前記通信することに応答して、前記アクセスポイントから調整された送信電力キャップを受信することをさらに備える、請求項６５に記載の方法。
【請求項６７】
少なくともアクセスポイントにおいて干渉を緩和するためにデバイスの送信電力キャップを調整することを判断するための装置であって、
アクセスポイントから送信電力キャップを取得することと、
前記アクセスポイントに１つまたは複数の信号を送信するために利用される送信電力が前記送信電力キャップにあるかまたは少なくとも前記送信電力キャップからのしきい値レベルであると判断することと、
前記送信電力が前記送信電力キャップにあるかまたは少なくとも前記送信電力キャップからの前記しきい値レベルであることを前記アクセスポイントに通知することと
を行うように構成された少なくとも１つのプロセッサと、
前記少なくとも１つのプロセッサに結合されたメモリと
を備える、装置。
【請求項６８】
前記少なくとも１つのプロセッサが、
前記アクセスポイントから１つまたは複数の経路損失測定を実行するようにとの要求を受信することと、
１つまたは複数の他のアクセスポイントあるいは前記アクセスポイントへの前記１つまたは複数の経路損失測定を実行することと、
前記アクセスポイントに前記１つまたは複数の経路損失測定を通信することと
を行うようにさらに構成された、請求項６７に記載の装置。
【請求項６９】
少なくともアクセスポイントにおいて干渉を緩和するためにデバイスの送信電力キャップを調整することを判断するための装置であって、
アクセスポイントから送信電力キャップを取得するための手段と、
前記アクセスポイントに１つまたは複数の信号を送信するために利用される送信電力が前記送信電力キャップにあるかまたは少なくとも前記送信電力キャップからのしきい値レベルであることを前記アクセスポイントに通知するための手段と
を備える、装置。
【請求項７０】
前記アクセスポイントから１つまたは複数の経路損失測定を実行するようにとの要求を受信するための手段と、
１つまたは複数の他のアクセスポイントあるいは前記アクセスポイントへの前記１つまたは複数の経路損失測定を実行するための手段と、
前記アクセスポイントに前記１つまたは複数の経路損失測定を通信するための手段と
をさらに備える、請求項６９に記載の装置。
【請求項７１】
少なくともアクセスポイントにおいて干渉を緩和するためにデバイスの送信電力キャップを調整することを判断するためのコンピュータプログラム製品であって、
アクセスポイントから送信電力キャップを取得することを少なくとも１つのコンピュータに行わせるためのコードと、
前記アクセスポイントに１つまたは複数の信号を送信するために利用される送信電力が前記送信電力キャップにあるかまたは少なくとも前記送信電力キャップからのしきい値レベルであると判断することを前記少なくとも１つのコンピュータに行わせるためのコードと、
前記送信電力が前記送信電力キャップにあるかまたは少なくとも前記送信電力キャップからの前記しきい値レベルであることを前記アクセスポイントに通知することを前記少なくとも１つのコンピュータに行わせるためのコードと
を備える、コンピュータ可読媒体
を備える、コンピュータプログラム製品。
【請求項７２】
前記コンピュータ可読媒体が、
前記アクセスポイントから１つまたは複数の経路損失測定を実行するようにとの要求を受信することを前記少なくとも１つのコンピュータに行わせるためのコードと、
１つまたは複数の他のアクセスポイントあるいは前記アクセスポイントへの前記１つまたは複数の経路損失測定を実行することを前記少なくとも１つのコンピュータに行わせるためのコードと、
前記アクセスポイントに前記１つまたは複数の経路損失測定を通信することを前記少なくとも１つのコンピュータに行わせるためのコードと
をさらに備える、請求項７１に記載のコンピュータプログラム製品。
【請求項７３】
少なくともアクセスポイントにおいて干渉を緩和するためにデバイスの送信電力キャップを調整することを判断するための装置であって、
アクセスポイントから送信電力キャップを取得するためのＴｘ電力キャップ受信構成要素と、
前記アクセスポイントに１つまたは複数の信号を送信するために利用される送信電力が前記送信電力キャップにあるかまたは少なくとも前記送信電力キャップからのしきい値レベルであることを前記アクセスポイントに通知するためのキャップ調整トリガ構成要素と
を備える、装置。
【請求項７４】
前記アクセスポイントから１つまたは複数の経路損失測定を実行するようにとの要求を取得するための測定要求受信構成要素と、
１つまたは複数の他のアクセスポイントあるいは前記アクセスポイントへの前記１つまたは複数の経路損失測定を実行するための経路損失測定構成要素と、
前記アクセスポイントに前記１つまたは複数の経路損失測定を通信するための経路損失報告構成要素と
をさらに備える、請求項７３に記載の装置。
【請求項７５】
前記Ｔｘ電力キャップ受信構成要素は、前記経路損失報告構成要素が前記１つまたは複数の経路損失測定値を通信することに応答して、前記アクセスポイントから調整された送信電力キャップを取得する、請求項７４に記載の装置。
【発明の詳細な説明】
【技術分野】
【０００１】
米国特許法第１１９条による優先権の主張  
本特許出願は、本出願の譲受人に譲渡され、参照により本明細書に明確に組み込まれる、２０１０年６月２９日に出願された「MOBILE TRANSMIT POWER CAPPING FOR UPLINK INTERFERENCE MANAGEMENT」と題する仮出願第６１／３５９，７５７号、ならびに本出願の譲受人に譲渡され、参照により本明細書に明確に組み込まれる、２０１０年９月２８日に出願された「MOBILE TRANSMIT POWER CAPPING FOR UPLINK INTERFERENCE MANAGEMENT」と題する仮出願第６１／３８７，３６５号の優先権を主張する。
【０００２】
以下の説明は、一般にワイヤレスネットワーク通信に関し、より詳細には、デバイス送信電力をキャッピングすることに関する。
【背景技術】
【０００３】
ワイヤレス通信システムは、たとえば、ボイス、データなど、様々なタイプの通信コンテンツを提供するために広く展開されている。典型的なワイヤレス通信システムは、利用可能なシステムリソース（たとえば、帯域幅、送信電力、．．．）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどがあり得る。さらに、システムは、第３世代パートナーシップ・プロジェクト（third generation partnership project）（３ＧＰＰ）、３ＧＰＰ ロング・ターム・エボリューション（long term evolution）（ＬＴＥ）、ウルトラ・モバイル・ブロードバンド（ultra mobile broadband）（ＵＭＢ）、エボリューション・データ・オプティマイズド（evolution data optimized）（ＥＶ−ＤＯ）などの規格に準拠することができる。
【０００４】
一般に、ワイヤレス多元接続通信システムは、複数のモバイルデバイスのための通信を同時にサポートし得る。各モバイルデバイスは、順方向リンクおよび逆方向リンク上の送信を介して１つまたは複数のアクセスポイントと通信し得る。順方向リンク（またはダウンリンク）はアクセスポイントからモバイルデバイスへの通信リンクを指し、逆方向リンク（またはアップリンク）はモバイルデバイスからアクセスポイントへの通信リンクを指す。さらに、モバイルデバイスとアクセスポイントとの間の通信は、単一入力単一出力（ＳＩＳＯ）システム、多入力単一出力（ＭＩＳＯ）システム、多入力多出力（ＭＩＭＯ）システムなどを介して確立され得る。さらに、ピアツーピア・ワイヤレスネットワーク構成では、モバイルデバイスは他のモバイルデバイスと（および／またはアクセスポイントは他のアクセスポイントと）通信することができる。
【０００５】
従来の基地局を補うために、追加の制限付きアクセスポイント（restricted access points）を展開して、よりロバストなワイヤレスカバレージをモバイルデバイスに与え得る。たとえば、増分キャパシティの増大、よりリッチなユーザエクスペリエンス（user experience）、屋内または他の特定の地理的カバレージなどのために、（たとえば、一般に、集合的にＨ（ｅ）ＮＢと呼ばれるホームノードＢまたはホームｅＮＢ、フェムトアクセスポイント、フェムトセル、ピコセル、マイクロセルなどと呼ばれることがある）ワイヤレスリレー局および低電力基地局（low power base stations）が展開され得る。いくつかの構成では、そのような低電力基地局は、モバイル事業者のネットワークへのバックホールリンクを与えることができる、ブロードバンド接続（たとえば、デジタル加入者回線（ＤＳＬ）ルータ、ケーブルまたは他のモデムなど）を介してインターネットに接続され得る。したがって、たとえば、低電力基地局は、ブロードバンド接続を介した１つまたは複数のデバイスへのモバイルネットワークアクセスを与えるためにユーザの自宅中に展開され得る。
【０００６】
この点について、そのような低電力基地局の展開は多くの場合無計画であり、したがって、そのような低電力基地局と通信している基地局および／またはモバイルデバイスは、近傍にある他の低電力基地局、マクロセル基地局、または他のデバイスへの干渉を生じ得る。他のアクセスポイントとの干渉を防ぐまたは少なくする、低電力基地局がそれの送信電力を設定するための干渉緩和機構が存在する。しかしながら、低電力アクセスポイントによってサービスされるデバイスが、依然として、低電力アクセスポイントと同じ周波数において動作している他のアクセスポイントへの干渉（同一チャネル干渉（co-channel interference）と呼ばれる）、または隣接する周波数において動作している他のアクセスポイントへの干渉（隣接チャネル干渉（adjacent channel interference）と呼ばれる）を生じ得る。
【発明の概要】
【０００７】
以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【０００８】
１つまたは複数の実施形態およびそれの対応する開示に従って、隣接アクセスポイントへの干渉を緩和するために、アクセスポイントと通信している複数のデバイスの送信電力をキャッピングする（capping）ことに関する様々な態様について説明する。一例では、アクセスポイントによってサービスされる複数のデバイスが、他のアクセスポイントへの経路損失（pathloss）および／または同様のメトリックを測定し、その測定値をアクセスポイントに報告することができる。アクセスポイントは、次いで、他のアクセスポイントに対応する測定値に少なくとも部分的に基づいて複数のデバイスのうちの１つまたは複数のデバイスの送信電力キャップ（transmission power cap）を計算することができる。さらに、たとえば、ネットワークにおいて生ずるシグナリング負荷を低下させるために、アクセスポイントは、アクセスポイントによってサービスされる複数のデバイスに割り当てるための共通の送信電力キャップを計算することができ、１つまたは複数のトリガ（たとえば、キャップを上回る送信電力上昇、しきい値レベルを上回るデバイスからの受信信号電力など）に少なくとも部分的に基づいて所与のデバイスの送信電力キャップが調整され得る。別の例では、アクセスポイントは、所与のデバイスに関する他のアクセスポイントから受信されたパラメータに少なくとも部分的に基づいてそのデバイスの送信電力キャップを再調整することができる。
【０００９】
一例によれば、少なくともアクセスポイントにおいて干渉を緩和するためにデバイスの送信電力キャップを判断するための方法であって、デバイスから少なくとも１つのアクセスポイントへの経路損失測定値を受信することと、その経路損失測定値に少なくとも部分的に基づいて１つまたは複数のデバイスの送信電力キャップを計算することとを含む方法が提供される。本方法はまた、１つまたは複数のデバイスに、送信電力キャップに従って通信させることを含む。
【００１０】
別の態様では、少なくともアクセスポイントにおいて干渉を緩和するためにデバイスの送信電力キャップを判断するための装置が提供される。本装置は、デバイスから少なくとも１つのアクセスポイントへの経路損失測定値を受信することと、その経路損失測定値に少なくとも部分的に基づいて１つまたは複数のデバイスの送信電力キャップを計算することとを行うように構成された少なくとも１つのプロセッサを含む。少なくとも１つのプロセッサは、１つまたは複数のデバイスに、送信電力キャップに従って通信させるようにさらに構成される。本装置はまた、少なくとも１つのプロセッサに結合されたメモリを含む。
【００１１】
さらに別の態様では、少なくともアクセスポイントにおいて干渉を緩和するためにデバイスの送信電力キャップを判断するための装置であって、デバイスから少なくとも１つのアクセスポイントへの経路損失測定値を受信するための手段と、その経路損失測定値に少なくとも部分的に基づいて１つまたは複数のデバイスの送信電力キャップを計算するための手段とを含む装置が提供される。本装置は、１つまたは複数のデバイスに、送信電力キャップに従って通信させるための手段をさらに含む。
【００１２】
さらに、別の態様では、少なくともアクセスポイントにおいて干渉を緩和するためにデバイスの送信電力キャップを判断するためのコンピュータプログラム製品であって、デバイスから少なくとも１つのアクセスポイントへの経路損失測定値を受信することを少なくとも１つのコンピュータに行わせるためのコードと、その経路損失測定値に少なくとも部分的に基づいて１つまたは複数のデバイスの送信電力キャップを計算することを少なくとも１つのコンピュータに行わせるためのコードとを有するコンピュータ可読媒体を含むコンピュータプログラム製品が提供される。コンピュータ可読媒体は、１つまたは複数のデバイスに、送信電力キャップに従って通信させることを少なくとも１つのコンピュータに行わせるためのコードをさらに含む。
【００１３】
その上、一態様では、少なくともアクセスポイントにおいて干渉を緩和するためにデバイスの送信電力キャップを判断するための装置であって、デバイスから少なくとも１つのアクセスポイントへの経路損失測定値を取得するための経路損失受信構成要素と、その経路損失測定値に少なくとも部分的に基づいて１つまたは複数のデバイスの送信電力キャップを計算するための送信電力キャップ計算構成要素とを含む装置が提供される。本装置は、１つまたは複数のデバイスに、送信電力キャップに従って通信させるための構成要素をさらに含む。
【００１４】
別の例によれば、少なくともアクセスポイントにおいて干渉を緩和するためにデバイスの送信電力キャップを調整することを判断するための方法であって、アクセスポイントから送信電力キャップを取得することと、アクセスポイントに１つまたは複数の信号を送信するために利用される送信電力が送信電力キャップにあるかまたは少なくとも送信電力キャップからのしきい値レベルであると判断することとを含む方法が提供される。本方法はまた、送信電力が送信電力キャップにあるかまたは少なくとも送信電力キャップからのしきい値レベルであることをアクセスポイントに通知することを含む。
【００１５】
別の態様では、少なくともアクセスポイントにおいて干渉を緩和するためにデバイスの送信電力キャップを調整することを判断するための装置が提供される。本装置は、アクセスポイントから送信電力キャップを取得することと、アクセスポイントに１つまたは複数の信号を送信するために利用される送信電力が送信電力キャップにあるかまたは少なくとも送信電力キャップからのしきい値レベルであると判断することとを行うように構成された少なくとも１つのプロセッサを含む。少なくとも１つのプロセッサは、送信電力が送信電力キャップにあるかまたは少なくとも送信電力キャップからのしきい値レベルであることをアクセスポイントに通知するようにさらに構成される。本装置はまた、少なくとも１つのプロセッサに結合されたメモリを含む。
【００１６】
さらに別の態様では、少なくともアクセスポイントにおいて干渉を緩和するためにデバイスの送信電力キャップを調整することを判断するための装置であって、アクセスポイントから送信電力キャップを取得するための手段を含む装置が提供される。本装置は、アクセスポイントに１つまたは複数の信号を送信するために利用される送信電力が送信電力キャップにあるかまたは少なくとも送信電力キャップからのしきい値レベルであることをアクセスポイントに通知するための手段をさらに含む。
【００１７】
さらに、別の態様では、少なくともアクセスポイントにおいて干渉を緩和するためにデバイスの送信電力キャップを調整することを判断するためのコンピュータプログラム製品であって、アクセスポイントから送信電力キャップを取得することを少なくとも１つのコンピュータに行わせるためのコードを有するコンピュータ可読媒体を含むコンピュータプログラム製品が提供される。コンピュータ可読媒体は、アクセスポイントに１つまたは複数の信号を送信するために利用される送信電力が送信電力キャップにあるかまたは少なくとも送信電力キャップからのしきい値レベルであると判断することを少なくとも１つのコンピュータに行わせるためのコードと、送信電力が送信電力キャップにあるかまたは少なくとも送信電力キャップからのしきい値レベルであることをアクセスポイントに通知することを少なくとも１つのコンピュータに行わせるためのコードとをさらに含む。
【００１８】
その上、一態様では、少なくともアクセスポイントにおいて干渉を緩和するためにデバイスの送信電力キャップを調整することを判断するための装置であって、アクセスポイントから送信電力キャップを取得するための送信電力キャップ受信構成要素を含む装置が提供される。本装置は、アクセスポイントに１つまたは複数の信号を送信するために利用される送信電力が送信電力キャップにあるかまたは少なくとも送信電力キャップからのしきい値レベルであることをアクセスポイントに通知するためのキャップ調整トリガ構成要素をさらに含む。
【００１９】
上記および関連する目的を達成するために、１つまたは複数の態様は、以下で十分に説明し、特に特許請求の範囲で指摘する特徴を備える。以下の説明および添付の図面に、１つまたは複数の態様のいくつかの例示的な特徴を詳細に記載する。ただし、これらの特徴は、様々な態様の原理が採用され得る様々な方法のほんのいくつかを示すものであり、この説明は、すべてのそのような態様およびそれらの均等物を含むものとする。
【００２０】
以下で、開示する態様を説明するために、および開示する態様を限定しないように提供された添付の図面とともに、開示する態様について説明する。図中、同様の表示は同様の要素を示す。
【図面の簡単な説明】
【００２１】
【図１】ワイヤレスネットワークにおいて干渉を緩和することを可能にする例示的なシステムのブロック図。
【図２】デバイスの送信電力キャップを計算するための例示的なシステムのブロック図。
【図３】デバイスに割り当てられた共通の送信電力キャップを調整するための例示的なシステムのブロック図。
【図４】アクセスポイントからの干渉報告に基づいて送信電力キャップを調整するための例示的なシステムのブロック図。
【図５】デバイスの送信電力キャップを判断するための例示的な方法の一態様のフローチャート。
【図６】１つまたは複数のアクセスポイントの経路損失差の累積密度関数（pathloss difference cumulative density function）を構築するための例示的な方法の一態様のフローチャート。
【図７】デバイスが１つまたは複数の基準送信電力にあるかあるいは１つまたは複数の基準送信電力の近くのしきい値レベルであるときに送信電力を報告するように複数のデバイスを構成する例示的な方法の一態様のフローチャート。
【図８】デバイス送信電力が前の送信電力キャップにあるかまたは前の送信電力キャップの近くのしきい値レベルであると判断することに基づいてデバイスの送信電力キャップを調整するための例示的な方法の一態様のフローチャート。
【図９】受信信号電力に少なくとも部分的に基づいてデバイスの送信電力キャップを計算する例示的な方法の一態様のフローチャート。
【図１０】受信干渉報告に基づいてデバイスの送信電力キャップを調整するための例示的な方法の一態様のフローチャート。
【図１１】送信電力キャップに達したかまたは近づいていることをアクセスポイントに通知する例示的な方法の一態様のフローチャート。
【図１２】本明細書で説明する様々な態様による例示的なモバイルデバイスのブロック図。
【図１３】送信電力キャップを判断することを可能にするための例示的なシステムのブロック図。
【図１４】デバイスの送信電力キャップを判断する例示的なシステムのブロック図。
【図１５】送信電力キャップに達したかまたは近づいていることをアクセスポイントに通知する例示的なシステムのブロック図。
【図１６】本明細書に記載の様々な態様による例示的なワイヤレス通信システムのブロック図。
【図１７】本明細書で説明する様々なシステムおよび方法とともに採用され得る例示的なワイヤレスネットワーク環境の図。
【図１８】本明細書の態様が実装され得る、いくつかのデバイスをサポートするように構成された例示的なワイヤレス通信システムを示す図。
【図１９】ネットワーク環境内でフェムトセルの展開を可能にするための例示的な通信システムの図。
【図２０】いくつかの定義されたトラッキングエリア（tracking areas）を有するカバレージマップの例を示す図。
【発明を実施するための形態】
【００２２】
次に、図面を参照しながら様々な態様について説明する。以下の記述では、説明のために、１つまたは複数の態様の完全な理解を与えるために多数の具体的な詳細を記載する。ただし、そのような（１つまたは複数の）態様は、これらの具体的な詳細なしに実施され得ることは明らかであろう。
【００２３】
本明細書でさらに説明するように、アクセスポイントは、他のアクセスポイントへの干渉を緩和するために、１つまたは複数のサービスされるデバイスの送信（Ｔｘ）電力をキャッピングする（cap）ことができる。他のアクセスポイントは、１つまたは複数のサービスされるデバイスがサービングアクセスポイントと通信するときにそれらの他のアクセスポイントと干渉し得るような、サービングアクセスポイントの近傍にあり得る。一例では、１つまたは複数のサービスされるデバイスは、他のアクセスポイントへの経路損失または他のメトリックを測定し、その測定値をサービングアクセスポイントに示すことができる。この点について、サービングアクセスポイントは、（たとえば、他のアクセスポイントにおける雑音フロア（noise floor）、電力キャッピングしきい値（power capping threshold）などとともに）測定値に部分的に基づいて、１つまたは複数のサービスされるデバイスのうちの少なくとも１つに対して送信電力キャップを設定することができる。これにより、通常ならばその少なくとも１つのデバイスによって引き起こされるであろう、他のアクセスポイントへの同一チャネル干渉および／または隣接チャネル干渉が緩和され得る。
【００２４】
一例では、１つまたは複数の他のアクセスポイントについての様々なデバイスからの測定値に少なくとも部分的に基づいて、アクセスポイントによって共通の送信電力キャップが判断され得る。次いで、デバイスが共通の送信電力キャップにあるかまたは少なくとも共通の送信電力キャップから離れたしきい値レベルである場合、サービングアクセスポイントにおけるデバイスからの信号の受信（Ｒｘ）電力がしきい値レベルに一致するかまたはそれを超えた場合など、１つまたは複数のトリガに少なくとも部分的に基づいて所与のデバイスのために送信電力キャップが調整され得る。別の例では、サービングアクセスポイントによってサービスされる１つまたは複数のデバイスからの干渉を示す１つまたは複数のパラメータを他のアクセスポイントから受信することに少なくとも部分的に基づいて、サービングアクセスポイントがデバイスの送信電力キャップを調整する。
【００２５】
本出願で使用する「構成要素」、「モジュール」、「システム」などの用語は、限定はしないが、ハードウェア、ファームウェア、ハードウェアとソフトウェアの組合せ、ソフトウェア、または実行中のソフトウェアなど、コンピュータ関連のエンティティを含むものとする。たとえば、構成要素は、プロセッサ上で実行されるプロセス、プロセッサ、オブジェクト、実行ファイル、実行スレッド、プログラム、および／またはコンピュータであり得るが、これらに限定されない。例として、コンピューティングデバイス上で実行されるアプリケーションと、そのコンピューティングデバイスの両方が構成要素であり得る。１つまたは複数の構成要素がプロセスおよび／または実行スレッド内に常駐することができ、１つの構成要素が１つのコンピュータ上に配置され得、および／または２つ以上のコンピュータ間に分散され得る。さらに、これらの構成要素は、様々なデータ構造を記憶している様々なコンピュータ可読媒体から実行することができる。これらの構成要素は、ローカルシステム、分散システム、および／または他のシステムを用いるインターネットなどのネットワーク全体、の中の別の構成要素と信号を介して対話する１つの構成要素からのデータなど、１つまたは複数のデータパケットを有する信号によるなど、ローカルプロセスおよび／またはリモートプロセスを介して通信し得る。
【００２６】
さらに、本明細書では、ワイヤード端末またはワイヤレス端末とすることができる端末に関する様々な態様について説明する。端末は、システム、デバイス、加入者ユニット、加入者局、移動局、モバイル、モバイルデバイス、リモート局、リモート端末、アクセス端末、ユーザ端末、端末、通信デバイス、ユーザエージェント、ユーザデバイス、またはユーザ機器（ＵＥ）と呼ばれることもある。ワイヤレス端末は、セルラー電話、衛星電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、またはワイヤレスモデムに接続された他の処理デバイスであり得る。さらに、本明細書では基地局に関する様々な態様について説明する。基地局は、（１つまたは複数の）ワイヤレス端末と通信するために利用され得、アクセスポイント、ノードＢ、発展型ノードＢ（ｅＮＢ）、Ｈ（ｅ）ＮＢ、または何らかの他の用語で呼ばれることもある。
【００２７】
さらに、「または」という用語は、排他的な「または」ではなく、包括的な「または」を意味するものとする。すなわち、別段に規定されていない限り、または文脈から明らかでない限り、「ＸはＡまたはＢを使用する」という句は、自然包括的並べ替え（natural inclusive permutations）のいずれかを意味するものとする。すなわち、「ＸはＡまたはＢを使用する」という句は、ＸがＡを使用する場合、ＸがＢを使用する場合、またはＸがＡとＢの両方を使用する場合のいずれかによって満たされる。さらに、本出願および添付の特許請求の範囲で使用する冠詞「ａ」および「ａｎ」は、別段に規定されていない限り、または単数形を示すことが文脈から明らかでない限り、概して「１つまたは複数」を意味するものと解釈すべきである。
【００２８】
本明細書で説明する技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用され得る。「システム」および「ネットワーク」という用語は、しばしば互換的に使用される。ＣＤＭＡシステムは、ユニバーサル地上無線アクセス（Universal Terrestrial Radio Access）（ＵＴＲＡ）、ｃｄｍａ２０００などの無線技術を実装し得る。ＵＴＲＡは、広帯域（Wideband）−ＣＤＭＡ（Ｗ−ＣＤＭＡ）およびＣＤＭＡの他の変形態を含む。さらに、ｃｄｍａ２０００は、ＩＳ−２０００、ＩＳ−９５およびＩＳ−８５６規格をカバーする。ＴＤＭＡシステムは、移動通信のためのグローバルシステム（Global System for Mobile Communications）（ＧＳＭ）（登録商標）などの無線技術を実装し得る。ＯＦＤＭＡシステムは、高度化（Evolved）ＵＴＲＡ（Ｅ−ＵＴＲＡ）、ウルトラ・モバイル・ブロードバンド（Ultra Mobile Broadband）（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサル・モバイル通信システム（Universal Mobile Telecommunication System）（ＵＭＴＳ）の一部である。３ＧＰＰ  ロング・ターム・エボリューション（Long Term Evolution）（ＬＴＥ）は、ダウンリンク上ではＯＦＤＭＡを採用し、アップリンク上ではＳＣ−ＦＤＭＡを採用するＥ−ＵＴＲＡを使用するＵＭＴＳのリリースである。ＵＴＲＡ、Ｅ−ＵＴＲＡ、ＵＭＴＳ、ＬＴＥおよびＧＳＭは、「第三世代パートナーシップ・プロジェクト（3rd Generation Partnership Project）」（３ＧＰＰ）と称する団体からの文書に記載されている。さらに、ｃｄｍａ２０００およびＵＭＢは、「第三世代パートナーシップ・プロジェクト  ２（3rd Generation Partnership Project 2）」（３ＧＰＰ２）と称する団体からの文書に記載されている。さらに、そのようなワイヤレス通信システムは、追加として、不対無認可スペクトル（unpaired unlicensed spectrums）、８０２．ｘｘワイヤレスＬＡＮ、ブルートゥース（ＢＬＵＥＴＯＯＴＨ（登録商標））および任意の他の短距離または長距離ワイヤレス通信技法をしばしば使用するピアツーピア（たとえば、モバイルツーモバイル）アドホックネットワークシステムを含み得る。
【００２９】
いくつかのデバイス、構成要素、モジュールなどを含み得るシステムに関して、様々な態様または特徴を提示する。様々なシステムは、追加のデバイス、構成要素、モジュールなどを含んでもよく、および／または各図に関連して論じるデバイス、構成要素、モジュールなどのすべてを含まなくてもよいことを理解および諒解されたい。これらの手法の組合せも使用され得る。
【００３０】
図１を参照すると、デバイスの送信電力キャップを計算することを可能にする例示的なワイヤレス通信システム１００が示されている。システム１００は、ワイヤレスネットワークおよび／またはそれの１つまたは複数の構成要素へのアクセスを受信するためにサービングアクセスポイント１０４と通信することができるデバイス１０２を備える。システム１００はまた、デバイス１０２が潜在的に干渉し得る他のアクセスポイント１０６および／または１０８を備えることができる。システム１００はまた、随意に、サービングアクセスポイント１０４によってサービスされ得る別のデバイス１１０を備える。たとえば、デバイス１０２および／または１１０は、ＵＥ、モデム（または他のテザーデバイス（tethered device））、それらの一部分などであり得る。アクセスポイント１０４、１０６、および／または１０８は、それぞれ、（本明細書では集合的にＨ（ｅ）ＮＢと呼ぶ、ホームノードＢまたはホーム発展型ノードＢ（Home evolved Node B）などの）フェムトセルアクセスポイント、ピコセルアクセスポイント、マイクロセルアクセスポイント、モバイル基地局、リレーノード、（たとえば、ピアツーピアまたはアドホックモードで通信する）デバイス、それらの一部分などであり得る。
【００３１】
一例によれば、デバイス１０２は、サービングアクセスポイント１０４と通信している間、潜在的にアクセスポイント１０６および／または１０８に干渉し得る。説明したように、サービングアクセスポイント１０４、アクセスポイント１０６、および／またはアクセスポイント１０８は、フェムトセルまたは他の無計画ワイヤレスネットワーク展開（unplanned wireless network deployment）の一部であり得、したがって、アクセスポイント１０４、１０６、および／または１０８、あるいはそれらと通信するデバイスは、場合によっては（たとえば、アクセスポイントが極めて近接して展開される場合は）互いに干渉し得る。したがって、サービングアクセスポイント１０４は、少なくともデバイス１０２からの通信によって生じるアクセスポイント１０６への干渉を緩和するために、送信電力キャップ１１２をデバイス１０２に与えることができる。一例では、デバイス１０２は、アクセスポイント１０６から信号１１４を受信し、それの経路損失または同様の通信メトリックを計算することができる。デバイス１０２は、アクセスポイント１０６への経路損失１１６または同様のメトリックをサービングアクセスポイント１０４に報告することができる。経路損失または他のメトリックに少なくとも部分的に基づいて、サービングアクセスポイント１０４は、デバイス１０２の送信電力キャップを計算し、その送信電力キャップ１１２をデバイス１０２に与える。デバイス１０２は、アクセスポイント１０６への干渉を緩和するために送信電力キャップに従い得る。
【００３２】
上記の結果、一例では、デバイス１０２からの追加のシグナリング負荷が生じ得る。一例では、これは、所望される場合、サービングアクセスポイント１０４が、デバイス１０２および／またはデバイス１１０など、サービスされるデバイスについて、デバイスごとに変更され得る共通の送信電力キャップを計算することに少なくとも部分的によって緩和され得る。たとえば、サービングアクセスポイント１０４は、デバイス１０２からアクセスポイント１０６および１０８の経路損失測定値を収集し、ならびにデバイス１１０からアクセスポイント１０８の経路損失測定値を収集することができる。サービングアクセスポイント１０４によってサービスされる複数のデバイスおよび／または追加の隣接アクセスポイントが存在し得、関係する経路損失報告がサービングアクセスポイント１０４によって受信され得ることを諒解されたい。いずれの場合も、サービングアクセスポイント１０４は、アクセスポイント１０６および１０８との干渉を緩和するために、デバイス１０２および１１０のための共通の送信電力キャップを判断することができる。たとえば、これは、最小の計算された送信電力キャップであり得る。この例では、デバイス１０２および／またはデバイス１１０の送信電力キャップは、１つまたは複数のイベントまたは他のトリガに少なくとも部分的に基づいて個別に調整され得る。
【００３３】
たとえば、１つまたは複数のイベントは、送信電力が送信電力キャップにあるかまたは送信電力キャップに近づいている（たとえば、送信電力キャップの近くのしきい値レベルにある）と判断するなど、デバイス１０２において起こり得る。このイベントが起こると、たとえば、デバイス１０２は、デバイス１０２における現在の送信電力を報告することによってサービングアクセスポイント１０４に通知することができる。一例では、サービングアクセスポイント１０４は、デバイス１０２によって潜在的に干渉されないアクセスポイントに関係するシグナリングをさらに緩和するために、アクセスポイント１０６および／または１０８など、デバイス１０２について報告された送信電力よりも小さい関係する基準送信電力（reference transmission power）を有するアクセスポイントの経路損失を報告するようにデバイス１０２に要求することができる。別の例では、デバイス１０２は、送信電力が送信電力キャップにあるかまたは送信電力キャップに近づいていると判断することに基づいて、アクセスポイント１０６および／または１０８のうちの１つまたは複数への経路損失を判断し、サービングアクセスポイント１０４に報告することができる。さらに別の例では、サービングアクセスポイント１０４は、サービングアクセスポイント１０４においてデバイス１０２の受信電力を測定することができる。この例では、サービングアクセスポイント１０４におけるデバイス１０２からの信号の受信電力がしきい値レベルに一致するかまたはしきい値レベルを超えた場合、サービングアクセスポイント１０４は、同様に、アクセスポイント１０６および／または１０８など、近傍にある他のアクセスポイントに対応する経路損失報告をサブミット（submit）するようにデバイス１０２を構成することができる。いずれの場合も、デバイス１０２の送信電力キャップは経路損失測定値に基づいて調整され得る。
【００３４】
さらに別の例では、アクセスポイント１０６は、しきい値レベルを超えたときの、デバイス１０２からの干渉を検出することができる。この例では、アクセスポイント１０６は、この干渉を（たとえば、バックホール接続１１８を介して）サービングアクセスポイント１０４に報告することができ、サービングアクセスポイント１０４は、それに応じて、干渉を緩和するためにデバイス１０２の送信電力キャップを調整することができる。たとえば、アクセスポイント１０６は、総干渉レベル（a total level of interference）またはデバイス１０２からの干渉レベル（a level of interference）の絶対または相対インジケータであり得る干渉レベルインジケータ、デバイス１０２からの干渉の存在のインジケータなどを含む報告を作成することができる。別の例では、アクセスポイント１０６は、少なくとも干渉のしきい値レベルを生じる複数のデバイスに対応することができる、支配的干渉デバイス（dominant interfering device）識別子の報告、または、最も高い干渉レベルを生じる複数のデバイスのパーセンタイル（percentile）を生成することができる。いずれの場合も、サービングアクセスポイント１０４は、それに応じてデバイス１０２の送信電力キャップを調整することができる。
【００３５】
図２を参照すると、デバイスの送信電力キャップを判断することを可能にする例示的なワイヤレス通信システム２００が示されている。システム２００は、説明したように、１つまたは複数のワイヤレスネットワーク構成要素へのアクセスを受信するためにサービングアクセスポイント２０４と通信するデバイス２０２を備える。さらに、システム２００は、サービングアクセスポイント２０４と通信することに少なくとも部分的に起因して、デバイス２０２が潜在的に干渉し得る、別のアクセスポイント２０６を含むことができる。たとえば、サービングアクセスポイント２０４の展開は、サービングアクセスポイント２０４によって生じるか、デバイス２０２によって生じるか、またはサービングアクセスポイント２０４と通信している他のデバイスなどによって生じるかにかかわらず、サービングアクセスポイント２０４の近傍にある他のアクセスポイント（図示せず）への干渉を生じ得る。説明したように、たとえば、デバイス２０２は、ＵＥ、モデムなどであり得、サービングアクセスポイント２０４およびアクセスポイント２０６は、それぞれフェムトセルアクセスポイント、Ｈ（ｅ）ＮＢなどであり得る。
【００３６】
デバイス２０２は、１つまたは複数のアクセスポイントへの経路損失を判断する経路損失測定構成要素２０８と、判断された経路損失を１つまたは複数のアクセスポイントまたはデバイスに通信する経路損失報告構成要素２１０と、経路損失に少なくとも部分的に基づいて送信電力キャップを取得するＴｘ電力キャップ受信構成要素２１２とを備えることができる。サービングアクセスポイント２０４は、デバイスにおける１つまたは複数のアクセスポイントへの経路損失を取得するための経路損失受信構成要素２１４と、経路損失に少なくとも部分的に基づいてデバイスの送信電力キャップを判断するためのＴｘ電力キャップ計算構成要素２１６と、送信電力キャップをデバイスに通信するためのＴｘ電力キャップ提供構成要素２１８とを備える。
【００３７】
一例によれば、経路損失測定構成要素２０８は、アクセスポイント２０６から受信された１つまたは複数の信号の経路損失を判断することができる。たとえば、これは、タイマー、前に受信された送信電力キャップにあるかそれに近づいている（たとえば、前に受信された送信電力キャップからのしきい値レベルにある）デバイス２０２の検出、アクセスポイントからの信号がデバイス２０２に聞こえるその１つまたは複数のアクセスポイントを測定するようにとのサービングアクセスポイント２０４からの要求など、アクセスポイント２０６からの信号を測定するためのトリガに少なくとも部分的に基づき得る。一例では、経路損失測定構成要素２０８は、信号の受信信号コード電力（received signal code power）（ＲＳＣＰ）、１つまたは複数のアクセスポイントについて測定された共通パイロットインジケータチャネル（common pilot indicator channel）（ＣＰＩＣＨ）送信電力など、１つまたは複数の電力測定値に少なくとも部分的に基づいて経路損失を判断することができる。さらに、経路損失測定値は、サービングアクセスポイント２０４の同じ周波数、隣接周波数などの上にあるアクセスポイントに相関することができる。
【００３８】
いずれの場合も、経路損失報告構成要素２１０は、測定された経路損失または他の電力測定値をサービングアクセスポイント２０４に通信することができる。この例では、経路損失受信構成要素２１４が、デバイス２０２から測定された経路損失を取得することができ、Ｔｘ電力キャップ計算構成要素２１６は、アクセスポイント２０６へのデバイス２０２の干渉を緩和するために、その経路損失に少なくとも部分的に基づいてデバイス２０２の送信電力キャップを判断することができる。たとえば、経路損失受信構成要素２１４がデバイス２０２からＲＳＣＰ測定値を取得した場合、経路損失受信構成要素２１４は、そのＲＳＣＰ測定値と、信号を送信するためにアクセスポイント２０６によって利用される受信ダウンリンク送信電力（received downlink transmit power）とに少なくとも部分的に基づいてアクセスポイント２０６への経路損失を計算することができる。たとえば、経路損失受信構成要素２１４は、電力などを測定するためにＮＬＭを使用して、アクセスポイント管理サーバから、デバイス２０６からのダウンリンク送信電力を判断することができる。一例では、経路損失受信構成要素２１４は、他の電力測定値が受信された場合、それらの他の電力測定値に基づいて経路損失を計算するかまたは他の方法で推定することができる。
【００３９】
一例では、Ｔｘ電力キャップ計算構成要素２１６は、以下の式に従って送信電力キャップを判断することができる。  
【数１】
2013539614.tif 000003
【００４０】
ただし、ＰＬMは、経路損失測定構成要素２０８によって測定されたアクセスポイント２０６への経路損失であり、ＮｏMはアクセスポイント２０６における雑音フロアであり、ΔMは送信電力キャッピングしきい値である。たとえば、Ｔｘ電力キャップ計算構成要素２１６は、アクセスポイント２０６から、アクセスポイント用の管理サーバ（たとえば、Ｈ（ｅ）ＮＢ管理システム（H(e)NB management system）（ＨＭＳ））、ゲートウェイまたは同様のネットワーク構成要素、アクセスポイント２０６からの信号を転送し、アクセスポイント２０６から前に受信された情報を通信するデバイスなどからの雑音フロアＮｏMを取得することができる。ΔMは、たとえば、サービングアクセスポイント２０４において（たとえば、構成ファイルから、運用、アドミニストレーション、および管理（operations, administration, and management）（ＯＡＭ）プロシージャなどから）構成され、それのハードコーディング（hardcoding）または他の仕様などに少なくとも部分的に基づいて判断され得る。いずれの場合も、Ｔｘ電力キャップ提供構成要素２１８が、デバイス２０２に、送信電力キャップに従って通信させることができ、これは、デバイス２０２に送信電力キャップを通信することを含むことができる。Ｔｘ電力キャップ受信構成要素２１２は送信電力キャップを取得することができ、デバイス２０２は、送信電力キャップを超えないように注意しながらサービングアクセスポイント２０４と通信することができる。
【００４１】
たとえば、デバイス２０２がサービングアクセスポイント２０４から遠ざかるにつれて、デバイス２０２は、信号品質を向上させ、サービングアクセスポイント２０４と通信したままでいるために、送信電力を増加させることができる。デバイス２０２は、最終的に送信電力を送信電力キャップに設定することを判断し得るが、デバイス２０２は、送信電力キャップを超えないことを保証するためのいくつかの方策を講じることができる。一例では、サービングアクセスポイント２０４との通信がしきい値レベルを超えて劣化し、デバイス２０２が、適応すべき送信電力キャップを超えて送信電力を増加させることができない場合、これにより最終的にハンドオーバが生じ得る。その上、一例では、デバイス２０２はワイヤレスネットワーク全体にわたって移動するので、デバイス２０２は、アクセスポイント２０６への経路損失をサービングアクセスポイント２０４に断続的に報告することができ、それにより、デバイス２０２における送信電力キャップが複数の特定のロケーションに対して更新されることが保証され得る。これにより、ワイヤレスネットワークにおけるシグナリング負荷が増加し得、したがって、本明細書で説明する追加の機能は、デバイス２０２における経路損失シグナリングを減少させるために利用され得る。
【００４２】
一例では、図示されていないが、デバイス２０２は、送信電力キャップを計算するための経路損失をサービングアクセスポイント２０４に報告する代わりに（またはそれに加えて）、経路損失測定構成要素２０８からの経路損失測定値に基づいて（たとえば、１つまたは複数の事前構成または取得されたアルゴリズムに従って）送信電力キャップを局所的に計算するためのＴｘ電力キャップ計算構成要素２１６を備えることができることを諒解されたい。Ｔｘ電力キャップ受信構成要素２１２は、それに応じて、計算された送信電力キャップを受信し、デバイス２０２に、サービングアクセスポイント２０４と通信する際にその送信電力キャップを利用させることができる。
【００４３】
図３を参照すると、デバイスの送信電力キャップを調整するための例示的なワイヤレス通信システム３００が示されている。システム３００は、ワイヤレスネットワークへのアクセスを受信するためにサービングアクセスポイント３０４と通信するデバイス３０２を備える。システム３００はまたアクセスポイント２０６を備え、デバイス３０２は、サービングアクセスポイント３０４に信号を送信している間、潜在的にアクセスポイント２０６に干渉し得る（それは、アクセスポイント２０６と通信しているデバイスに干渉することを含み得る）。この点について、たとえば、サービングアクセスポイント３０４および／またはアクセスポイント２０６は互いの近傍内に展開され得る。説明したように、デバイス３０２は、ＵＥ、モデムなどであり得、サービングアクセスポイント３０４および／またはアクセスポイント２０６はそれぞれ、マクロセルアクセスポイント、フェムトセルアクセスポイント、またはピコセルアクセスポイントなどであり得る。
【００４４】
デバイス３０２は、１つまたは複数のアクセスポイントへの経路損失を判断するための経路損失測定構成要素２０８と、その経路損失を１つまたは複数の同様のまたは異なるアクセスポイントに通信するための経路損失報告構成要素２１０と、報告された経路損失に少なくとも部分的に基づいて送信電力キャップを取得するためのＴｘ電力キャップ受信構成要素２１２とを備えることができる。デバイス３０２はまた、送信電力キャップの調整を要求することを判断するための随意のキャップ調整トリガ構成要素３０６と、１つまたは複数のアクセスポイントの追加の経路損失測定を実行するようにとの要求を取得するための測定要求受信構成要素３０８とを備える。
【００４５】
サービングアクセスポイント３０４は、送信電力を判断すること、デバイスの送信電力キャップを計算する際に監視するためのアクセスポイントを判断することなどのために、１つまたは複数のアクセスポイントから１つまたは複数の信号を受信するための随意のコロケート（co-located）・ネットワーク・リスニングモジュール（network listening module）（ＮＬＭ）構成要素３１０と、デバイスから１つまたは複数のアクセスポイントへの経路損失測定値を取得するための経路損失受信構成要素３１２と、（１つまたは複数の）経路損失測定値に少なくとも部分的に基づいてデバイスの送信電力キャップを判断するためのＴｘ電力キャップ計算構成要素３１４とを備える。サービングアクセスポイント３０４はさらに、デバイスに送信電力キャップを通信するためのＴｘ電力キャップ提供構成要素３１６と、デバイスの送信電力キャップを調整することを判断するための随意のキャップ調整トリガ構成要素３１８と、追加の経路損失測定を実行するようにとの要求を１つまたは複数のデバイスに通信するための測定要求構成要素３２０とを備えることができる。
【００４６】
一例によれば、サービングアクセスポイント３０４は、サービングアクセスポイント３０４と通信している複数のデバイスのための共通の送信電力キャップを計算するために経路損失統計値を収集することができる。共通の送信電力キャップはそれらのデバイスに割り当てられ得、１つまたは複数のトリガが生じると、サービングアクセスポイント３０４は、説明したように、所与のデバイスの送信電力キャップを変更することができる。したがって、たとえば、経路損失統計値を収集するために、測定要求構成要素３２０は、周囲のアクセスポイントへの経路損失を測定するようにとの要求を１つまたは複数のデバイスに通信することができる。たとえば、これは、（たとえば、マクロセル中の１つまたは複数のアクセスポイントに実質的に干渉しないように、受信信号強度および関係するマクロセル内のブロードキャスト情報に基づいてサービングアクセスポイント３０４のダウンリンク送信電力を判断するのと同様に）サービングアクセスポイント３０４の初期化において起こり得る。
【００４７】
一例では、測定要求構成要素３２０は、様々なデバイスからアクセスポイントのセットへの経路損失に基づいて１つまたは複数の送信電力キャップがそれから計算され得るその監視すべきアクセスポイントのセットを判断することができる。たとえば、測定要求構成要素３２０は、ＮＬＭ構成要素３１０を利用して、１次スクランブリングコード（primary scrambling code）（ＰＳＣ）レンジ、または他のアクセスポイント識別レンジ（access point identifying range）を走査して、アクセスポイント２０６など、ＮＬＭ構成要素３１０によってそれからの信号が受信され得るそのアクセスポイントおよび／または関係するセルを判断することができる。さらに、たとえば、判断されたアクセスポイントは、アクセスポイント３０４と同じ動作周波数、隣接する動作周波数などを利用することができる。
【００４８】
別の例では、測定要求構成要素３２０は、判断されたアクセスポイントのうちの１つまたは複数のための他の動作周波数を判断し、１つまたは複数のデバイスが、（たとえば、判断されたアクセスポイントのうちの１つまたは複数について指定された元の動作周波数の追加または代替として）その他の動作周波数上で判断されたアクセスポイントのうちの１つまたは複数のための周波数間測定（inter-frequency measurement）を実行することを要求することができる。これにより、１つまたは複数のデバイスがそこからの信号を検出することができない（たとえば、しきい値検出（threshold detection）信号対干渉比（signal-to-interference ratio）（ＳＩＲ）を下回るパイロット送信電力が受信される）その判断されたアクセスポイントのうちの１つまたは複数を測定することが可能になり得る。一例では、測定要求構成要素３２０は、所与の時間期間内に判断されたアクセスポイントのうちの１つまたは複数の測定値を受信しないときに、他の動作周波数上で測定することを要求することを判断することができる。さらに、一例では、他の動作周波数は、判断されたアクセスポイントのうちの１つまたは複数の元の動作周波数に隣接することができる。
【００４９】
測定要求構成要素３２０が、アクセスポイントのセットおよび／またはそれらのアクセスポイントのセットを測定すべき関連する動作周波数を判断すると、測定要求構成要素３２０は、トレーニング期間の一部として、（たとえば、アクセスポイント２０６を含む）セット中のアクセスポイントの少なくとも一部への、ならびにサービングアクセスポイント３０４への経路損失を測定し、報告するように、デバイス３０２など、１つまたは複数のデバイスを構成することができる。測定要求受信構成要素３０８は、経路損失を測定するようにとの要求を取得することができる。経路損失測定構成要素２０８は、それに応じて、（たとえば、サービングアクセスポイント３０４と同じ周波数中であるか、または別の周波数中であるかにかかわらず）アクセスポイントのセットの少なくとも一部、およびサービングアクセスポイント３０４から信号を受信し、その信号に基づいて経路損失を測定することができる。
【００５０】
この例では、経路損失報告構成要素２１０は、サービングアクセスポイント３０４とアクセスポイント２０６とを含む、１つまたは複数のアクセスポイントへの測定された経路損失をサービングアクセスポイント３０４に通信することができる。経路損失測定構成要素２０８は、他のＰＳＣを有する追加のアクセスポイントへの経路損失を測定し、経路損失報告構成要素２１０はそれを報告し、測定要求構成要素３２０は、その追加のＰＳＣをアクセスポイントのセットに追加することができることを諒解されたい。経路損失受信構成要素３１２は、説明したように、デバイス３０２および／または他のデバイスから経路損失測定値を受信することができる。この点について、経路損失測定値は、異なるデバイスロケーションに基づいてアクセスポイントのセット中のアクセスポイントの少なくとも一部について受信され得る。経路損失受信構成要素３１２は、経路損失測定値に少なくとも部分的に基づいて少なくとも１つの経路損失測定値がそれについて受信されるそのアクセスポイントごとに、経路損失(pathloss)の累積密度関数（cumulative density function）（ＣＤＦ）、または経路損失測定値の他の組合せを構築することができる。代替的に、経路損失受信構成要素３１２は、ＮＬＭ構成要素３１０を使用してアクセスポイントからの信号を測定することに少なくとも部分的に基づいて、アクセスポイントのセット中の各アクセスポイントへの経路損失を特徴づけることができる。
【００５１】
さらに別の例では、経路損失受信構成要素３１２は、パイロット検出ＳＩＲしきい値に少なくとも部分的に基づいて、アクセスポイント２０６などのアクセスポイントへの経路損失を推定することができる。この例では、経路損失受信構成要素３１２は、（たとえば、ハードコーディングされるかまたは構成されたパラメータとして）アクセスポイント２０６および／またはアクセスポイント全体へのパイロット検出ＳＩＲ関連しきい値を判断することができる。たとえば、パイロット検出ＳＩＲしきい値は、アクセスポイントからのパイロット信号を検出するために必要とされる、全雑音上の受信信号電力（received signal power over a total noise）に対応することができる。経路損失受信構成要素３１２はまた、アクセスポイント管理サーバから、アクセスポイント２０６などのアクセスポイントのパイロット信号送信の強度、ＮＬＭ構成要素３１０によるアクセスポイントの測定値などを取得することができる。さらに、経路損失測定構成要素は総受信レベルＩｏを測定し、経路損失報告構成要素２１０は総雑音レベルをサービングアクセスポイント３０４に与えることができる。経路損失受信構成要素３１２は、総雑音レベルを受信し、それに応じて、パイロット検出ＳＩＲしきい値と、総雑音レベルと、パイロット信号強度送信測定値とに基づいてアクセスポイントへの経路損失を計算することができる。たとえば、経路損失受信構成要素３１２は、以下の式に少なくとも部分的に基づいて経路損失を推定することができる。  
【数２】
2013539614.tif 000004
【００５２】
ただし、ＰＬ＿ｌｏｗｅｒ＿ｂｏｕｎｄは推定経路損失を与え、Ｄｅｔｅｃｔ＿Ｔｈｒｅｓはパイロット検出ＳＩＲしきい値であり、ＣＰＩＣＨ＿Ｔｘ＿Ｐｗｒはパイロット信号強度測定値である。
【００５３】
経路損失受信構成要素３１２がいくつかの経路損失測定値を取得し、アクセスポイントのうちの一部のＣＤＦを判断すると、経路損失受信構成要素３１２は、経路損失測定値がそれについて受信されるそのアクセスポイントのセットの一部分中のアクセスポイントごとに経路損失差のＣＤＦをも計算することができる。たとえば、デバイス３０２などのデバイスからサービングアクセスポイント３０４について報告された経路損失測定値ＰＬsごとに、経路損失受信構成要素３１２は、特定のデバイスから最も近接した時間において報告された、ｉ番目のアクセスポイントへの経路損失ＰＬM（ｉ）を判断することができる。たとえば、経路損失受信構成要素３１２は、最も近接した時間をもつ経路損失測定値を判断するために、デバイスによって報告されたｉ個の経路損失測定値を評価することができ、ただし、ｉは、経路損失測定値がそれについて受信されたそのセット中のアクセスポイントの数である。経路損失受信構成要素３１２は、報告されたＰＬsごとに経路損失測定値の差ＰＬM（ｉ）−ＰＬsを計算し、それに応じて経路損失差のＣＤＦを構築することができる。
【００５４】
代替的に、経路損失受信構成要素３１２がＮＬＭ構成要素３１０を使用して経路損失差（pathloss difference）を特徴づける場合、経路損失受信構成要素３１２は、サービングアクセスポイント３０４の仮定される経路損失（たとえば、ダウンリンク送信電力に基づく９０デシベル（ｄＢ）カバレージ半径）とともに、ＮＬＭ構成要素３１０から取得されたアクセスポイントのセット中のアクセスポイントの測定された経路損失を使用して経路損失差を計算することができる。いずれの例でも、Ｔｘ電力キャップ計算構成要素３１４は、アクセスポイントのセット中のアクセスポイントへの経路損失差のＣＤＦまたは他の計算された経路損失差に少なくとも部分的に基づいて、デバイス３０２など、サービングアクセスポイント３０４と通信しているデバイスのための共通の送信電力キャップを判断することができる。たとえば、Ｔｘ電力キャップ計算構成要素３１４は、最も低い経路損失測定値ＰＬM（ｉ）、または経路損失差測定値ＰＬM（ｉ）−ＰＬsを有するアクセスポイントのセット中のアクセスポイントへの経路損失に少なくとも部分的に基づいて共通の送信電力キャップを判断することができる。
【００５５】
たとえば、Ｔｘ電力キャップ計算構成要素３１４は、前に判断されたＣＤＦまたは経路損失差のＣＤＦに少なくとも部分的に基づいてアクセスポイントのセットの経路損失しきい値を判断することができる。たとえば、経路損失しきい値は、１つまたは複数の報告されたＣＤＦの経路損失差に少なくとも部分的に基づいて判断され得る。一例では、Ｔｘ電力キャップ計算構成要素３１４は、（たとえば、最も低い報告された経路損失差、最も低い報告された経路損失差のｎパーセンタイルなど）ＣＤＦの経路損失差の特定のパーセンタイル計算となるように経路損失しきい値を判断することができる。経路損失情報がそれについて受信されるその複数のアクセスポイントの少なくとも一部について、Ｔｘ電力キャップ計算構成要素３１４は、１つまたは複数のデバイスにおける送信電力キャップ再調整トリガ（transmission power cap readjustment trigger）のために使用され得る複数のアクセスポイントのうちの一部に対応する基準送信電力を計算することができる。たとえば、基準送信電力は、アクセスポイントの各々への経路損失測定値に基づいてそれらアクセスポイントの各々について計算される個々の送信電力キャップと同様であり得る。
【００５６】
一例では、Ｔｘ電力キャップ計算構成要素３１４は、以下の式または同様の式に従って基準送信電力を計算することができる。  
【数３】
2013539614.tif 000005
【００５７】
ただし、説明したように、ＰＬ＿ｔｈｒｅｓ（ｉ）は所与のｉ番目のアクセスポイントの経路損失しきい値であり、ＮｏM（ｉ）はｉ番目のアクセスポイントの雑音フロアであり、ΔM（ｉ）はキャッピングしきい値である。たとえば、ＰＬ＿ｔｈｒｅｓ（ｉ）は、様々なデバイスによって測定されたアクセスポイントへの経路損失の最小、最大、平均などであり得る。デバイスはｉ番目のアクセスポイントに干渉する可能性が低く、そのデバイスの送信電力は基準送信電力を下回ることを諒解されたい。したがって、たとえば、Ｔｘ電力キャップ計算構成要素３１４は、以下の式または同様の式に少なくとも部分的に基づいて、共通の送信電力キャップまたは報告しきい値（reporting threshold）を判断することができる。  
【数４】
2013539614.tif 000006
【００５８】
たとえば、共通の送信電力キャップは、デバイス３０２によって使用される送信電力をサービングアクセスポイント３０４にいつ通知すべきかを判断するためにデバイス３０２が利用し得る、報告しきい値としても参照され得る。別の例では、報告しきい値は、共通の送信電力キャップからの差であり得る。したがって、送信電力をサービングアクセスポイント３０４にいつ通知すべきかを判断するために報告しきい値が使用された場合、共通の送信電力キャップを超えることが防止され得る。上記の値は、以下の例では報告しきい値として参照され得るが、この概念は、報告しきい値とは異なる場合は共通の送信電力キャップにも適用され得る。このようにして、Ｔｘ電力キャップ提供構成要素３１６は、報告しきい値をデバイス３０２に通信することができる。Ｔｘ電力キャップ受信構成要素２１２は、説明したように、報告しきい値を取得することができる。
【００５９】
この例では、キャップ調整トリガ構成要素３０６は、デバイス３０２の送信電力が報告しきい値に近づいているか、達したか、またはそれを超えたときを判断することができる。このイベントの発生時に、キャップ調整トリガ構成要素３０６は、デバイス３０２の現在の送信電力をサービングアクセスポイント３０４に通知し、および／またはサービングアクセスポイント３０４に与えることができる。測定要求構成要素３２０は、それに応じて、シグナリング負荷をさらに低減するために、デバイス３０２において、報告された送信電力を下回る、前に計算された、ＴｘＰｗｒ＿ｒｅｆ（ｉ）を有する、上記で説明したアクセスポイントのセット中の１つまたは複数のアクセスポイントを判断することができる。測定要求構成要素３２０は、デバイス３０２が、（たとえば、アクセスポイント２０６を含むことができる）判断されたアクセスポイントへの経路損失をサービングアクセスポイント３０４に報告するように要求することができる。別の例では、経路損失測定構成要素２０８が１つまたは複数のアクセスポイントへの経路損失を測定し、経路損失報告構成要素２１０は、デバイス３０２の送信電力が報告しきい値に近づいているか、報告しきい値にあるか、またはそれを超えたとキャップ調整トリガ構成要素３０６が判断することに少なくとも部分的に基づいて、経路損失測定値をサービングアクセスポイント３０４に通信することができる。
【００６０】
たとえば、測定要求受信構成要素３０８は、追加の測定を実行するようにとの要求および／または経路損失測定がそれについて望まれるそのアクセスポイントの指示を取得することができ、経路損失測定構成要素２０８は、測定要求受信構成要素３０８から受信された信号からアクセスポイントへの経路損失を再び判断することができる。経路損失報告構成要素２１０は、（１つまたは複数の）経路損失測定値をサービングアクセスポイント３０４に報告することができる。経路損失受信構成要素３１２は、アクセスポイント（たとえば、説明したように、デバイス３０２によって報告された電力を下回る基準送信電力を有するアクセスポイント）の経路損失測定値を取得することができる。経路損失測定構成要素２０８がそれについて経路損失を判断するそのアクセスポイントは、本明細書では監視アクセスポイント（monitored access points）と呼ばれることがある。Ｔｘ電力キャップ計算構成要素３１４は、以下の式または同様の式に少なくとも部分的に基づいて、アクセスポイントに関係するデバイスの送信電力キャップを調整することができる。  
【数５】
2013539614.tif 000007
【００６１】
ただし、ＰＬM（ｋ）、ＮｏM（ｋ）、およびΔM（ｋ）はそれぞれ、ｋ番目の報告された監視アクセスポイントの、報告された経路損失、雑音フロア、およびキャッピングしきい値である。それに応じて、デバイス３０２のための調整された送信電力キャップは次のように計算され得る。  
【数６】
2013539614.tif 000008
【００６２】
ただし、マージンδは、（たとえば、ＴｘＰｗｒ＿Ｃａｐ≦ＴｘＰｗｒ＿ｔｈｒｅｓ＋δである場合、デバイスは経路損失を報告し得ないので）送信電力がキャッピングされるにもかかわらずサービングアクセスポイント３０４がデバイス３０２から経路損失報告を受信することができることを保証するように設定される。いずれの場合も、Ｔｘ電力キャップ提供構成要素３１６は、調整された送信電力キャップをデバイス３０２に通信することができ、デバイス３０２は、サービングアクセスポイント３０４と通信する際にその送信電力キャップを利用することができる。別の例では、デバイス３０２における送信電力が、調整された送信電力キャップにあるかまたは少なくとも調整された送信電力キャップからのしきい値レベルである場合、キャップ調整トリガ構成要素３０６はサービングアクセスポイント３０４に再び通知することができることを諒解されたい。
【００６３】
この点について、送信電力がアクセスポイントのセットのための共通の送信電力キャップにあるかまたはそれに近づいているとき、必ずしも連続的にとは限らないが、デバイス３０２によって経路損失が報告されるので、ワイヤレスネットワークにおける過剰なシグナリングが緩和され得る。デバイス３０２が、必ずしもセット中のすべてのアクセスポイントとは限らないが、デバイス３０２について報告された電力を下回る基準送信電力を有するアクセスポイントの経路損失を報告することに少なくとも部分的に基づいて、シグナリングはさらに少なくされる。
【００６４】
別の例では、共通の送信電力キャップの代替または追加として、サービングアクセスポイント３０４におけるデバイス３０２の受信電力が、送信電力キャップを調整するためのトリガであり得る（たとえば、受信電力がしきい値レベルを上回る場合）。たとえば、説明したように、測定要求構成要素３２０は、デバイス３０２および／または１つまたは複数の他のデバイスから、サービングアクセスポイント３０４への、ならびにアクセスポイント２０６など、１つまたは複数の他のアクセスポイントへの経路損失測定値を要求することができる。この点について、測定要求受信構成要素３０８はその要求を取得し、経路損失測定構成要素２０８は、サービングアクセスポイント３０４および他のアクセスポイントから受信された信号に少なくとも部分的に基づいてサービングアクセスポイント３０４および他のアクセスポイントへの経路損失を判断し、経路損失報告構成要素２１０は、その（１つまたは複数の）経路損失測定値をサービングアクセスポイント３０４に報告することができる。キャップ調整トリガ構成要素３１８は、送信電力キャップ調整をトリガするために、デバイス３０２から受信された経路損失測定値あるいは１つまたは複数の他の信号に少なくとも部分的に基づいてデバイス３０２のしきい値受信電力（threshold received power）を判断することができる。
【００６５】
たとえば、キャップ調整トリガ構成要素３１８は、以下の式または同様の式に従ってしきい値受信電力を判断することができる。  
【数７】
2013539614.tif 000009
【００６６】
ただし、Ｆｕｎｃ（ＰＬM−ＰＬS）は、前に説明したように、経路損失差のＣＤＦの最小関数、ｎパーセンタイル関数など、ＰＬM−ＰＬSの統計値の関数を表す。上述の式は、以下に少なくとも部分的に基づいて正当化され得る。サービングアクセスポイント３０４におけるデバイス３０２の電力は次のように表現され得る。  
【数８】
2013539614.tif 000010
【００６７】
ただし、ＴｘＰｗｒはデバイス３０２における送信電力であり、ＰＬSはデバイス３０２からサービングアクセスポイント３０４への経路損失である。干渉を制御するために、あるアクセスポイントなど、１つまたは複数の他のアクセスポイントにおける受信電力は次のように制限され得る。  
【数９】
2013539614.tif 000011
【００６８】
ただし、ここで、ＰＬM、ＮｏM、およびΔMはそれぞれ、１つまたは複数の他のアクセスポイントの、報告された経路損失、雑音フロア、およびキャッピングしきい値である。これを前の式と組み合わせることによって以下が与えられる。  
したがって、キャップ調整トリガ構成要素３１８が受信電力しきい値（received power threshold）を判断するための関数はこの条件に従って判断され得る。
【００６９】
たとえば、上記で説明したのと同様に、測定要求構成要素３２０は、（たとえば、初期化時に）１つまたは複数のデバイスに経路損失測定値を要求し、経路損失受信構成要素３１２は、その測定値を取得し、デバイスにおけるサービングアクセスポイント３０４の経路損失に対する経路損失差などに基づくＣＤＦ、経路損失差のＣＤＦを構築することができる。この経路損失差のＣＤＦに少なくとも部分的に基づいて、たとえば、キャップ調整トリガ構成要素３１８は、次のようにｉ番目のアクセスポイントに関係する受信電力しきい値を判断することができる。  
【数１０】
2013539614.tif 000012
【００７０】
したがって、キャップ調整トリガ構成要素３１８はデバイス３０２の受信電力を判断することができ、この受信電力が、アクセスポイント２０６など、ｉ番目のアクセスポイントのＰｘＰｗｒ＿ｔｈｒｅｓ（ｉ）よりも大きい場合、測定要求構成要素３２０は、前に説明したように、送信電力キャップを調整するために１つまたは複数の経路損失測定値を報告するようにデバイス３０２を構成することができる。この例では、アクセスポイントに関係するデバイス３０２の送信電力キャップは次のように計算され得、
【数１１】
2013539614.tif 000013
【００７１】
デバイス３０２の受信電力がそれについてしきい値レベルを超えるその複数のアクセスポイントについて、そのデバイスの送信電力キャップは次のように計算され得る。
【数１２】
2013539614.tif 000014
【００７２】
したがって、デバイス３０２の受信電力がしきい値にあるかまたはしきい値を超えたとき、説明したように、必ずしもセット中のすべてのアクセスポイントとは限らないが、対応するアクセスポイントについて経路損失が報告されるので、ワイヤレスネットワークにおけるシグナリングが低減され得る。
【００７３】
その上、たとえば、Ｔｘ電力キャップ計算構成要素３１４は、アクセスポイント（たとえば、アクセスポイント２０６または他のアクセスポイント）のタイプなど、１つまたは複数のパラメータに基づいて１つまたは複数のアクセスポイントのキャッピングしきい値ΔM（ｉ）を判断することができる。一例では、アクセスポイント２０６のΔM（ｉ）は、アクセスポイント２０６がマクロセルアクセスポイントである場合は１０ｄｂであり得、ピコセルアクセスポイントである場合は５ｄｂであり得、フェムトセルアクセスポイントである場合は０ｄｂなどであり得る。したがって、ΔM（ｉ）の値が低いほど、より多くの保護が与えられ得る。別の例では、ΔM（ｉ）は、追加または代替として、サービングアクセスポイント３０４によってサービスされるデバイスの数に少なくとも部分的に基づいて計算され得る。たとえば、ΔM（ｉ）は次のように計算され得る。  
【数１３】
2013539614.tif 000015
【００７４】
ただし、ΔM（ｉ）は、説明したように、アクセスポイント２０６のタイプに基づいて計算され得る。したがって、Ｔｘ電力キャップ計算構成要素３１４は、アクセスポイントの容量とそれのタイプとに少なくとも部分的に基づいてキャッピングしきい値を計算する。したがって、たとえば、アクセスポイントがより少ない数のデバイスをサービスする場合、それらのデバイスが同様の干渉を有することを可能にするために、キャッピングしきい値はより低くなり得る。
【００７５】
図４に、デバイスの送信電力キャップを調整するための例示的なワイヤレス通信システム４００を示す。システム４００は、ワイヤレスネットワークへのアクセスを受信するためにサービングアクセスポイント４０４と通信するデバイス４０２を備える。システム４００はまたアクセスポイント４０６を備え、デバイス４０２は、サービングアクセスポイント４０４に信号を送信している間、潜在的にアクセスポイント４０６に干渉し得る（それは、アクセスポイント４０６と通信しているデバイスに干渉することを含み得る）。この点について、たとえば、サービングアクセスポイント４０４および／またはアクセスポイント４０６は互いの近傍内に展開され得る。説明したように、デバイス４０２は、ＵＥ、モデムなどであり得、サービングアクセスポイント４０４および／またはアクセスポイント４０６はそれぞれ、マクロセルアクセスポイント、フェムトセルアクセスポイント、またはピコセルアクセスポイントなどであり得る。
【００７６】
デバイス４０２は、１つまたは複数のアクセスポイントへの経路損失を判断するための経路損失測定構成要素２０８と、その経路損失を１つまたは複数の同様のまたは異なるアクセスポイントに通信するための経路損失報告構成要素２１０と、報告された経路損失に少なくとも部分的に基づいて送信電力キャップを取得するためのＴｘ電力キャップ受信構成要素２１２とを備えることができる。デバイス４０２はまた、１つまたは複数のアクセスポイントの追加の経路損失測定を実行するようにとの要求を取得するための測定要求受信構成要素３０８を備える。
【００７７】
サービングアクセスポイント４０４は、送信電力を判断すること、デバイスの送信電力キャップを計算する際に監視するためのアクセスポイントを判断することなどのために、１つまたは複数のアクセスポイントから１つまたは複数の信号を受信するための随意のＮＬＭ構成要素３１０と、デバイスから１つまたは複数のアクセスポイントへの経路損失測定値を取得するための経路損失受信構成要素３１２と、（１つまたは複数の）経路損失測定値に少なくとも部分的に基づいてデバイスの送信電力キャップを判断するためのＴｘ電力キャップ計算構成要素３１４とを備える。サービングアクセスポイント４０４はさらに、デバイスに送信電力キャップを通信するためのＴｘ電力キャップ提供構成要素３１６と、追加の経路損失測定を実行するようにとの要求を１つまたは複数のデバイスに通信するための測定要求構成要素３２０と、サービングアクセスポイント４０４によってサービスされる１つまたは複数のデバイスによる干渉に関係する１つまたは複数のパラメータを１つまたは複数のアクセスポイントから取得するための干渉報告受信構成要素４０８とを備えることができる。
【００７８】
アクセスポイント４０６は、異なるアクセスポイントと通信している１つまたは複数のデバイスからの干渉を判断するための干渉検出構成要素４１０と、干渉に関係する１つまたは複数のパラメータをその異なるアクセスポイントに通信するための干渉報告構成要素４１２とを備える。
【００７９】
一例によれば、デバイス４０２は、サービングアクセスポイント４０４に送信するとき、少なくとも何らかのレベルでアクセスポイント４０６に干渉し得る。干渉検出構成要素４１０は、サービングアクセスポイント４０４および／または他のアクセスポイントと通信しているデバイス４０２および／または他のデバイスからの干渉を測定することができる。たとえば、干渉検出構成要素４１０は、デバイス４０２または他のデバイスから信号を受信し、干渉レベル（たとえば、干渉オーバサーマル（interference over thermal）（ＩｏＴ）、または同様の測定値）とともに、その信号に関係する識別子（たとえば、スクランブリングコード、信号の復号された部分からの識別子、あるいはデバイス４０２および／またはサービングアクセスポイント４０４を識別するための他のパラメータなど）を記憶することができる。
【００８０】
イベントまたは他のトリガの発生時に、干渉報告構成要素４１２は、干渉情報をサービングアクセスポイント４０４に送信することができる。一例では、干渉報告構成要素４１２は、タイマーに少なくとも部分的に基づいて干渉をサービングアクセスポイント４０４に示すことができる。別の例では、干渉報告構成要素４１２は、１つまたは複数のデバイスからの干渉、あるいは総干渉レベルがしきい値レベル（たとえば、しきい値ＩｏＴ）に一致するかまたはそれを超えたことに少なくとも部分的に基づいて干渉を示すことができる。いずれの例でも、干渉検出構成要素４１０は、アクセスポイント４０６に支配的に干渉するデバイスを判断することができる。たとえば、これは、デバイスの最上位ｎパーセンタイル、デバイスの数、しきい値レベルを超える関連するＩｏＴをもつデバイスなどに関係することができる。この説明では、これはデバイス４０２を含むことができる。
【００８１】
干渉報告構成要素４１２は、この例では、干渉をそれに示している、その近傍にある１つまたは複数のアクセスポイントを識別することができる。たとえば、これは、アクセスポイント４０６に干渉しているデバイスが、サービングアクセスポイント４０４など、１つまたは複数のアクセスポイントと通信していると判断することに少なくとも部分的に基づくことができる。一例では、干渉報告構成要素４１２は、デバイスによって使用されるスクランブリングコードに少なくとも部分的に基づいて干渉デバイスが関係するアクセスポイントを示す。一例では、アクセスポイントはスクランブリングコードのレンジに関連付けられ得、この関連付けは他のアクセスポイントに通信され得る。たとえば、説明したように、ＨＭＳ、ＯＡＭなどが、アクセスポイントをスクランブリングコードに関連付け、および／または他のアクセスポイントへのそのような関連付けを示すことができる。したがって、干渉報告構成要素４１２は、デバイス４０２によって使用されるスクランブリングコードが、サービングアクセスポイント４０４に関連付けられたレンジ内にあると判断することができる。
【００８２】
１つまたは複数の関係するアクセスポイントを識別すると、干渉報告構成要素４１２は、干渉に関する情報をそれらの１つまたは複数の関係するアクセスポイントに送信することができる。たとえば、その情報は、（たとえば、当該デバイスおよび／または他のデバイスによって生じた）アクセスポイント４０６における総干渉、支配的干渉デバイスを示すデバイス識別子のリストなどを含むことができる。この例では、干渉検出構成要素４１０は、デバイス４０２が支配的干渉物であると判断し、デバイス４０２の識別子を含む干渉報告を（たとえば、ワイヤードまたはワイヤレスバックホール接続を介して）サービングアクセスポイント４０４に送信することができる。干渉報告受信構成要素４０８は、アクセスポイント４０６からの干渉報告を取得し、サービングアクセスポイント４０４によって提供される報告において示された１つまたは複数のデバイスを判断することができる。
【００８３】
それに応じて、測定要求構成要素３２０は、（たとえば、サービングアクセスポイント４０４、干渉報告がそこから受信されているそのアクセスポイント４０６、などによって初めに発見されたアクセスポイントのセットの）１つまたは複数の経路損失測定値を与えるようにとの要求を、デバイス４０２を含む１つまたは複数のデバイスに送信することができる。別の例では、測定要求構成要素３２０は、上記で説明したように、サービングアクセスポイント４０４によってサービスされる追加のデバイスに経路損失測定値を要求することができる。この例では、説明したように、測定要求受信構成要素３０８は、この要求を取得し、経路損失測定構成要素２０８は、１つまたは複数のアクセスポイントへの経路損失を測定し、経路損失報告構成要素２１０は、測定された経路損失をサービングアクセスポイント４０４に示すことができる。さらに、説明したように、経路損失受信構成要素３１２は経路損失測定値を取得し、Ｔｘ電力キャップ計算構成要素３１４は、その経路損失測定値に少なくとも部分的に基づいて送信電力キャップを判断し、Ｔｘ電力キャップ提供構成要素３１６はその送信電力キャップをデバイス４０２に通信することができ、その送信電力キャップは、Ｔｘ電力キャップ受信構成要素２１２によって受信され得る。
【００８４】
一例では、干渉報告受信構成要素４０８がアクセスポイント４０６から干渉報告を繰り返し（たとえば、指定された時間期間中にしきい値回数だけ）取得した場合、Ｔｘ電力キャップ計算構成要素３１４は、サービングアクセスポイント４０４によってサービスされるデバイス４０２および／または他の干渉デバイスの送信電力キャップを、示された干渉レベルと所望の干渉レベルとの間の差だけ増加させることができる。たとえば、所望の干渉レベルは、（たとえば、干渉報告において）アクセスポイント４０６、ＨＭＳ、ＯＡＭなどから受信され得る。したがって、上記の例において、送信電力キャップ調整は、アクセスポイント４０６において経験される実際の干渉に基づき、たとえば、干渉がしきい値レベルに一致するかまたはそれを超えたときにアクセスポイント４０６が干渉報告を与えるので、シグナリングを低減することができる。さらに、デバイス電力を制御するためのこの機構は、パイロット信号を含む、実質的にすべての送信信号によって生じる干渉を低減することができる。
【００８５】
図５〜図１１を参照すると、ワイヤレスネットワークにおいてデバイス干渉を緩和するために送信電力キャップを利用することに関する例示的な方法が示されている。説明を簡単にするために、方法を一連の行為として図示し説明するが、いくつかの行為は、１つまたは複数の実施形態によれば、本明細書で図示し説明する順序とは異なる順序で、および／または他の行為と同時に行われ得るので、方法は行為の順序によって限定されないことを理解および諒解されたい。たとえば、方法は、状態図など、一連の相互に関係する状態またはイベントとして代替的に表現され得ることを諒解されたい。さらに、１つまたは複数の実施形態による方法を実施するために、図示のすべての行為が必要とされるとは限らない。
【００８６】
図５を参照すると、デバイスの送信電力キャップを判断することを可能にする例示的な方法５００が示されている。５０２において、デバイスから少なくとも１つのアクセスポイントへの経路損失測定値を受信する。説明したように、これは、サービングアクセスポイント、そのデバイスの近傍にある別のアクセスポイントなどへの経路損失であり得る。その上、説明したように、経路損失測定値は、ＲＳＣＰ、ＣＰＩＣＨ送信電力など、１つまたは複数の電力測定値を備えることができる。５０４において、経路損失測定値に少なくとも部分的に基づいて１つまたは複数のデバイスの送信電力キャップを計算する。一例では、これは、追加として、少なくとも１つのアクセスポイントについて判断された雑音フロア、キャッピングしきい値などに基づいて計算され得る。たとえば、説明したように、送信電力キャップは、少なくとも１つのアクセスポイントとの干渉を緩和するためにデバイスに固有のものとして、上記経路損失測定値または他のデバイスからの他の経路損失測定値に基づいて上記アクセスポイントまたは他のアクセスポイントについて共通のものなどとして計算され得る。さらに、１つまたは複数のデバイスは、経路損失測定値がそれから受信されているそのデバイスを含むことができる。５０６において、１つまたは複数のデバイスに、送信電力キャップに従って通信させる。たとえば、これは、デバイスに送信電力キャップを通信することを含むことができる。いずれの場合も、デバイスは、説明したように、少なくとも１つのアクセスポイントまたは他のアクセスポイントとの干渉を緩和するために、サービングアクセスポイントと通信する際に送信電力キャップを利用することができる。
【００８７】
図６を参照すると、１つまたは複数のアクセスポイントとサービングアクセスポイントとの間の経路損失差を判断することを可能にする例示的な方法６００が示されている。６０２において、１つまたは複数のアクセスポイントから受信された情報に少なくとも部分的に基づいてダウンリンク送信電力を判断する。たとえば、その情報は、１つまたは複数の信号を含むことができ、ダウンリンク送信電力は、それらの信号の強度に基づいて１つまたは複数のアクセスポイントに干渉しないように判断され得る。６０４において、１つまたは複数の送信電力キャップを判断するために、監視するための１つまたは複数のアクセスポイントの初期セットを判断する。説明したように、これは、１つまたは複数のアクセスポイントからの信号を検出するためにコロケートＮＬＭあるいは１つまたは複数の他のデバイスを使用して判断され得る。さらに、アクセスポイントのセットは、アクセスポイントのタイプ、それの識別子、アクセスポイントによって使用されるＰＳＣなどに少なくとも部分的に基づいて選択され得る。別の例では、説明したように、１つまたは複数のサービスされるデバイスは、（たとえば、アクセスポイントによって受信されたリスト中にない受信信号からのＰＳＣを検出することに少なくとも部分的に基づいて）リストにアクセスポイントを追加することができる。
【００８８】
アクセスポイントのセットを判断すると、６０６において、１つまたは複数のアクセスポイントのセットの少なくとも一部への経路損失を測定し、報告するように１つまたは複数のサービスされるデバイスを構成する。この点について、１つまたは複数のサービスされるデバイスは、説明したように、１つまたは複数のアクセスポイントのセットの少なくとも一部への経路損失を測定し、その経路損失を報告することができる。これはトレーニング期間と呼ばれることがある。６０８において、受信された経路損失測定値に基づいて１つまたは複数のアクセスポイントのセットの少なくとも一部のための経路損失のＣＤＦを構築する。６１０において、経路損失のＣＤＦに少なくとも部分的に基づいて１つまたは複数のアクセスポイントのセットの少なくとも一部のための経路損失差のＣＤＦを構築する。説明したように、たとえば、これは、経路損失のＣＤＦにおける各アクセスポイントとサービングアクセスポイントとの間の経路損失差を判断することを含むことができる。経路損失差のＣＤＦは、本明細書において上記で説明し、さらに説明するように、共通の送信電力キャップを判断すること、デバイスの送信電力キャップを調整することなどのために利用され得る。
【００８９】
図７を参照すると、共通の送信電力キャップを計算するための例示的な方法７００が示されている。７０２において、１つまたは複数のアクセスポイントに対応する経路損失差のＣＤＦを構築する。たとえば、これは、上記で説明したように、１つまたは複数のデバイスから１つまたは複数のアクセスポイントへの１つまたは複数の経路損失測定値と、１つまたは複数のデバイスからサービングアクセスポイントへの経路損失測定値との間の差に少なくとも部分的に基づいて実行され得る。７０４において、１つまたは複数のアクセスポイントの少なくとも一部のための基準送信電力を判断する。説明したように、一例では、基準送信電力は、（たとえば、経路損失測定値、雑音フロア、キャッピングしきい値などに少なくとも部分的に基づいて）１つまたは複数のアクセスポイントの各々についての送信電力キャップと同様に計算され得る。一例では、アクセスポイントの基準送信電力を計算するために、アクセスポイントへの１つまたは複数のデバイスの１つまたは複数の経路損失測定値の最大値、最小値、平均などであり得る、経路損失しきい値が使用され得る。７０６において、基準送信電力に基づいて計算されたしきい値送信電力に一致するかまたはそれを超えたときに送信電力を報告するように、１つまたは複数のサービスされるデバイスを構成する。説明したように、たとえば、しきい値送信電力は、計算された基準送信電力の最小値であり得る。これはまた、たとえば上記で説明したように、共通の送信電力キャップであり得る。しきい値送信電力に一致するかまたはそれを超えたことに基づいてデバイスが送信電力を報告すると、たとえば、デバイスの送信電力キャップは、１つまたは複数のアクセスポイントへの干渉を緩和するように調整され得る。
【００９０】
図８を参照すると、デバイス送信電力（device transmission power）が基準送信電力にあるかまたはそれを超えたと判断することに少なくとも部分的に基づいてデバイスの送信電力キャップを調整するための例示的な方法８００が示されている。８０２において、デバイス送信電力が送信電力キャップにあるかまたは少なくとも送信電力キャップからのしきい値レベルにあるという指示を受信する。たとえば、送信電力キャップは、上記で説明したように、（たとえば、様々なアクセスポイントの基準送信電力に基づいて）計算された共通の送信電力キャップであり、デバイスに与えられ得る。したがって、デバイスは、説明したように、送信電力を報告することができる。８０４において、デバイス送信電力を下回る基準送信電力を有するアクセスポイントの経路損失測定値を報告するように１つまたは複数のサービスされるデバイスを構成する。説明したように、サービスされるデバイスは、上記デバイスを含み、指示されたアクセスポイントの測定を実行することができ、および／または目的とするアクセスポイントの経路損失報告を取得することなどのために受信された経路損失報告をフィルタ処理することができる。８０６において、受信された経路損失測定値に少なくとも部分的に基づいてデバイスのための調整された送信電力キャップを計算する。
【００９１】
図９を参照すると、デバイスの受信電力に基づいてそのデバイスの送信電力を判断することを可能にする例示的な方法９００が示されている。９０２において、１つまたは複数のアクセスポイントに対応する経路損失差のＣＤＦを構築する。前に説明したように、これは、１つまたは複数の関係するデバイスによって測定された、１つまたは複数のアクセスポイントと、１つまたは複数の関係するデバイスのサービングアクセスポイントとの経路損失の差に少なくとも部分的に基づくことができる。９０４において、経路損失差のＣＤＦに少なくとも部分的に基づいて受信電力しきい値を判断する。たとえば、説明したように、これは、アクセスポイントおよびサービングアクセスポイントのうちの１つまたは複数への経路損失に応じて計算され得、これらの１つまたは複数のアクセスポイントの各々について計算され得る。９０６において、デバイスの受信電力が受信電力しきい値にあるかまたは少なくとも受信電力しきい値からのしきい値レベルであると判断する。たとえば、これは、デバイスからの１つまたは複数の受信信号の電力を測定することに少なくとも部分的に基づくことができる。９０８において、１つまたは複数の他のアクセスポイントへの経路損失測定値を報告するようにデバイスを構成する。さらに、一例では、他のデバイスもそのように構成され得る。９１０において、説明したように、デバイスから経路損失測定値を受信することに少なくとも部分的に基づいてデバイスの送信電力キャップを計算する。
【００９２】
図１０に、デバイスの送信電力キャップを判断するための例示的な方法１０００を示す。１００２において、１つまたは複数のデバイスがアクセスポイントへの干渉を生じていることを示す干渉報告をそのアクセスポイントから受信する。説明したように、干渉報告は、アクセスポイントにおける総干渉レベル、１つまたは複数の干渉デバイスの指示（たとえば、最も高いＩｏＴを有するデバイスのしきい値数またはパーセンタイルなど）などを含むことができる。１００４において、干渉報告に少なくとも部分的に基づいて１つまたは複数のデバイスの送信電力キャップを計算する。したがって、たとえば、干渉報告において示されたデバイスの少なくとも一部について、上記で説明した１つまたは複数の機構を使用して送信電力キャップが調整され得る（たとえば、アクセスポイントへの経路損失報告を取得し、それに応じてデバイスの送信電力キャップを調整するなど）。１００６において、送信電力キャップを１つまたは複数のデバイスに通信する。
【００９３】
図１１を参照すると、送信電力キャップと比較して送信電力を指示することを可能にする例示的な方法１１００が示されている。１１０２において、アクセスポイントから送信電力キャップを受信する。説明したように、これは、アクセスポイントに経路損失測定値を報告することなどに少なくとも部分的に基づくことができる。１１０４において、アクセスポイントに１つまたは複数の信号を送信するために利用される送信電力が送信電力キャップにあるかまたは少なくとも送信電力キャップからのしきい値レベルであると判断する。１１０６において、送信電力が送信電力キャップにあるかまたは少なくとも送信電力キャップからのしきい値レベルであることをアクセスポイントに通知する。したがって、一例では、アクセスポイントは、前に説明したように、送信電力キャップを調整することができる。
【００９４】
本明細書で説明する１つまたは複数の態様によれば、送信電力キャップを計算すること、送信電力キャップを調整することを判断することなどに関する推論が行われ得ることを諒解されよう。本明細書で使用する「推論する」または「推論」という用語は、概して、イベントおよび／またはデータを介して捕捉された観察のセットから、システム、環境、および／またはユーザの状態について推理する、またはその状態を推論するプロセスを指す。推論は、特定のコンテキストまたはアクションを識別するために採用され得、あるいは、たとえば、状態の確率分布を生成することができる。推論は、確率的、すなわち、データおよびイベントの考察に基づく関心の当該の状態（states of interest）の確率分布（probability distribution）の計算とすることができる。推論は、イベントおよび／またはデータのセットからより高いレベルのイベントを構成するために採用される技法を指すこともある。そのような推論から、イベントが時間的に近接して相関するか否かにかかわらず、ならびにイベントおよびデータが１つまたは複数のイベントおよびデータソースに由来するかどうかにかかわらず、観測されたイベントおよび／または記憶されたイベントデータのセットから新しいイベントまたはアクションが構成される。
【００９５】
図１２は、送信電力キャップを受信するために経路損失測定値を報告することを可能にするモバイルデバイス１２００の図である。モバイルデバイス１２００は、たとえば受信アンテナ（図示せず）から信号を受信し、受信信号に対して典型的な動作（たとえば、フィルタ処理、増幅、ダウンコンバートなど）を行い、サンプルを得るために調整された信号をデジタル化する受信機１２０２を備える。受信機１２０２は、受信されたシンボルを復調し、チャネル推定のためにプロセッサ１２０６に供給することができる復調器１２０４を備えることができる。プロセッサ１２０６は、受信機１２０２によって受信された情報の分析および／または送信機１２０８による送信のための情報の生成に専用のプロセッサ、モバイルデバイス１２００の１つまたは複数の構成要素を制御するプロセッサ、ならびに／あるいは受信機１２０２によって受信された情報の分析、送信機１２０８による送信のための情報の生成、およびモバイルデバイス１２００の１つまたは複数の構成要素の制御を行うプロセッサであり得る。
【００９６】
モバイルデバイス１２００は、さらに、メモリ１２１０を備えることができ、メモリ１２１０は、プロセッサ１２０６に動作可能に結合され、送信すべきデータ、受信されたデータ、利用可能なチャネルに関係する情報、分析された信号および／または干渉強度に関連するデータ、割当てチャネル、電力、レートなどに関係する情報、ならびにチャネルを推定し、そのチャネルを介して通信するための他の適切な情報を記憶することができる。メモリ１２１０は、さらに（たとえばパフォーマンスベース、容量ベースなどの）チャネルの推定および／または利用に関連するプロトコルおよび／またはアルゴリズムを記憶することができる。
【００９７】
本明細書で説明するデータストア（たとえばメモリ１２１０）は、揮発性メモリまたは不揮発性メモリのいずれかであり得、あるいは揮発性メモリと不揮発性メモリの両方を含むことができることを諒解されよう。限定ではなく例として、不揮発性メモリは、読取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、またはフラッシュメモリを含むことができる。揮発性メモリは、外部キャッシュメモリとして働くランダムアクセスメモリ（ＲＡＭ）を含むことができる。限定ではなく例として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、およびダイレクトランバスＲＡＭ（ＤＲＲＡＭ（登録商標））など、多くの形態が利用可能である。主題のシステムおよび方法のメモリ１２１０は、これらおよび他の適切なタイプのメモリを、それらに限定されることなく、備えるものとする。
【００９８】
プロセッサ１２０６は、さらに随意に、経路損失測定構成要素２０８と同様であり得る経路損失測定構成要素１２１２、経路損失報告構成要素２１０と同様であり得る経路損失報告構成要素１２１４、Ｔｘ電力キャップ受信構成要素２１２と同様であり得るＴｘ電力キャップ受信構成要素１２１６、キャップ調整トリガ構成要素３０６と同様であり得るキャップ調整トリガ構成要素１２１８、および／または測定要求受信構成要素３０８と同様であり得る測定要求受信構成要素１２２０に動作可能に結合され得る。モバイルデバイス１２００は、またさらに、たとえば、基地局、別のモバイルデバイスなどへの送信機１２０８による送信のための信号を変調する変調器１２２２を備える。その上、たとえば、モバイルデバイス１２００は、説明したように、複数のネットワークインターフェースのための複数の送信機１２０８を備えることができる。プロセッサ１２０６とは別個のものとして図示されているが、経路損失測定構成要素１２１２、経路損失報告構成要素１２１４、Ｔｘ電力キャップ受信構成要素１２１６、キャップ調整トリガ構成要素１２１８、測定要求受信構成要素１２２０、復調器１２０４、および／または変調器１２２２は、プロセッサ１２０６または複数のプロセッサ（図示せず）の一部であり得ることを諒解されたい。
【００９９】
図１３は、ワイヤレス通信を使用して１つまたは複数のデバイスと通信することを可能にするシステム１３００の図である。システム１３００は、実質的に任意の基地局（たとえば、フェムトセル、ピコセルなどの小さい基地局、モバイル基地局、．．．）、リレーなどであり得る基地局１３０２を備え、基地局１３０２は、（たとえば、説明したように、複数のネットワーク技術であり得る）複数の受信アンテナ１３０６を介して１つまたは複数のモバイルデバイス１３０４から（１つまたは複数の）信号を受信する受信機１３１０と、（たとえば、説明したように、複数のネットワーク技術であり得る）複数の送信アンテナ１３０８を介して１つまたは複数のモバイルデバイス１３０４に送信する送信機１３３８とを有する。さらに、一例では、送信機１３３８は、ワイヤードフロントリンク（wired front link）を介してモバイルデバイス１３０４に送信することができる。受信機１３１０は、１つまたは複数の受信アンテナ１３０６から情報を受信することができ、受信された情報を復調する復調器１３１２と動作可能に結合される。さらに、一例では、受信機１３１０は、ワイヤードバックホールリンク（wired backhaul link）から受信することができる。復調されたシンボルは、図１２に関して上記で説明したプロセッサと同様のものであり得るプロセッサ１３１４によって分析され、プロセッサ１３１４は、信号（たとえばパイロット）強度および／または干渉強度を推定することに関係する情報、（１つまたは複数の）モバイルデバイス１３０４（または異種基地局（図示せず））に送信されるべきデータまたはそこから受信されるべきデータ、および／または本明細書に記載の様々な動作および機能を行うことに関係する他の適切な情報を記憶するメモリ１３１６に結合される。
【０１００】
プロセッサ１３１４は、さらに随意に、ＮＬＭ構成要素３１０と同様であり得るＮＬＭ構成要素１３１８、経路損失受信構成要素２１４および／または３１２と同様であり得る経路損失受信構成要素１３２０、Ｔｘ電力キャップ計算構成要素２１６および／または３１４と同様であり得るＴｘ電力キャップ計算構成要素１３２２、ならびに／あるいはＴｘ電力キャップ提供構成要素２１８および／または３１６と同様であり得るＴｘ電力キャップ提供構成要素１３２４に結合される。プロセッサ１３１４は、さらに随意に、キャップ調整トリガ構成要素３１８と同様であり得るキャップ調整トリガ構成要素１３２６、および／または測定要求構成要素３２０と同様であり得る測定要求構成要素１３２８に結合され得る。その上、たとえば、プロセッサ１３１４はまた、随意に、干渉報告受信構成要素４０８と同様であり得る干渉報告受信構成要素１３３０、干渉検出構成要素４１０と同様であり得る干渉検出構成要素１３３２、および／または干渉報告構成要素４１２と同様であり得る干渉報告構成要素１３３４に結合され得る。
【０１０１】
その上、たとえば、プロセッサ１３１４は、変調器１３３６を使用して送信されるべき信号を変調し、送信機１３３８を使用して被変調信号を送信することができる。送信機１３３８は、Ｔｘアンテナ１３０８を介して信号をモバイルデバイス１３０４に送信することができる。さらに、プロセッサ１３１４とは別個のものとして図示されているが、ＮＬＭ構成要素１３１８、経路損失受信構成要素１３２０、Ｔｘ電力キャップ計算構成要素１３２２、Ｔｘ電力キャップ提供構成要素１３２４、キャップ調整トリガ構成要素１３２６、測定要求構成要素１３２８、干渉報告受信構成要素１３３０、干渉検出構成要素１３３２、干渉報告構成要素１３３４、復調器１３１２、および／または変調器１３３６は、プロセッサ１３１４もしくは複数のプロセッサ（図示せず）の一部であり、および／またはプロセッサ１３１４が実行するためのメモリ１３１６中の命令として記憶され得ることを諒解されたい。
【０１０２】
図１４を参照すると、デバイスの送信電力キャップを判断するためのシステム１４００が示されている。たとえば、システム１４００は、少なくとも部分的にアクセスポイントなどの内に常駐することができる。システム１４００は機能ブロックを含むものとして表されており、その機能ブロックは、プロセッサ、ソフトウェア、またはそれらの組合せ（たとえば、ファームウェア）によって実装される機能を表す機能ブロックであり得ることを諒解されたい。システム１４００は、連携して動作することができる電気的構成要素の論理グルーピング１４０２を含む。たとえば、論理グルーピング１４０２は、デバイスから少なくとも１つのアクセスポイントへの経路損失測定値を受信するための電気的構成要素１４０４を含むことができる。たとえば、経路損失測定値は、一例では、要求に少なくとも部分的に基づいて受信され得、および／または他のデバイスから同じもしくは他のアクセスポイントへの経路損失測定値などとともに受信され得る。さらに、論理グルーピング１４０２は、経路損失測定値に少なくとも部分的に基づいて１つまたは複数のデバイスの送信電力キャップを計算するための電気的構成要素１４０６を備えることができる。
【０１０３】
説明したように、たとえば、電気的構成要素１４０６は、雑音フロア、電力キャッピングしきい値などにさらに基づいて送信電力キャップを計算することができる。さらに、一例では、送信電力キャップは、デバイスに固有であること、１つまたは複数のデバイスについて共通であることなどが可能である。さらに、説明したように、送信電力キャップを計算することは、１つまたは複数のトリガあるいは他のイベントに基づいてデバイスの送信電力キャップを調整することを含むことができる。さらに、論理グルーピング１４０２は、１つまたは複数のデバイスに、送信電力キャップに従って通信させるための電気的構成要素１４０８を備えることができる。たとえば、電気的構成要素１４０４は、上記で説明したように、経路損失受信構成要素２１４および／または３１２、および／または経路損失測定構成要素２０８を含むことができる。さらに、たとえば、電気的構成要素１４０６は、一態様では、上記で説明したように、Ｔｘ電力キャップ計算構成要素２１６および／または３１４を含むことができる。その上、電気的構成要素１４０８は、説明したように、Ｔｘ電力キャップ提供構成要素２１８および／または３１６、および／またはＴｘ電力キャップ受信構成要素２１２を含むことができる。
【０１０４】
さらに、システム１４００は、電気的構成要素１４０４、１４０６、および１４０８に関連する機能を実行するための命令を保持するメモリ１４１０を含むことができる。メモリ１４１０の外部にあるものとして示されているが、電気的構成要素１４０４、１４０６、および１４０８のうちの１つまたは複数は、メモリ１４１０の内部に存在することができることを理解されたい。一例では、電気的構成要素１４０４、１４０６、および１４０８は、少なくとも１つのプロセッサを備えることができるか、または各電気的構成要素１４０４、１４０６、および１４０８は、少なくとも１つのプロセッサの対応するモジュールであり得る。さらに、追加または代替の例では、電気的構成要素１４０４、１４０６、および１４０８は、コンピュータ可読媒体を備えるコンピュータプログラム製品であり得、各電気的構成要素１４０４、１４０６、および１４０８は、対応するコードであり得る。
【０１０５】
図１５を参照すると、送信電力が送信電力キャップにあるかまたは近づいているときにアクセスポイントに通知するシステム１５００が示されている。たとえば、システム１５００は、少なくとも部分的にデバイスなどの内に常駐することができる。システム１５００は機能ブロックを含むものとして表されており、その機能ブロックは、プロセッサ、ソフトウェア、またはそれらの組合せ（たとえば、ファームウェア）によって実装される機能を表す機能ブロックであり得ることを諒解されたい。システム１５００は、連携して動作することができる電気的構成要素の論理グルーピング１５０２を含む。たとえば、論理グルーピング１５０２は、アクセスポイントから送信電力キャップを取得するための電気構成的要素１５０４を含むことができる。説明したように、たとえば、送信電力キャップは、（たとえば、アクセスポイントまたは周囲アクセスポイントの）経路損失測定値がアクセスポイントに通信されたことに基づいて受信され得る。その上、たとえば、送信電力キャップは、アクセスポイントと通信している実質的にすべてのデバイスについて計算された共通の送信電力キャップであり得る。
【０１０６】
さらに、論理グルーピング１５０２は、アクセスポイントに１つまたは複数の信号を送信するために利用される送信電力が送信電力キャップにあるかまたは少なくとも送信電力キャップからのしきい値レベルであることをアクセスポイントに通知するための電気的構成要素１５０６を備えることができる。説明したように、たとえば、その通知に少なくとも部分的に基づいて、調整された送信電力キャップが受信され得る。たとえば、電気的構成要素１５０４は、上記で説明したように、Ｔｘ電力キャップ受信構成要素２１２を含むことができる。さらに、たとえば、電気的構成要素１５０６は、一態様では、上記で説明したように、キャップ調整トリガ構成要素３０６を含むことができる。
【０１０７】
さらに、システム１５００は、電気的構成要素１５０４および１５０６に関連する機能を実行するための命令を保持するメモリ１５０８を含むことができる。メモリ１５０８の外部にあるものとして示されているが、電気的構成要素１５０４および１５０６のうちの１つまたは複数は、メモリ１５０８の内部に存在することができることを理解されたい。一例では、電気的構成要素１５０４および１５０６は、少なくとも１つのプロセッサを備えることができるか、または各電気的構成要素１５０４および１５０６は、少なくとも１つのプロセッサの対応するモジュールであり得る。さらに、追加または代替の例では、電気的構成要素１５０４および１５０６は、コンピュータ可読媒体を備えるコンピュータプログラム製品であり得、各電気的構成要素１５０４および１５０６は、対応するコードであり得る。
【０１０８】
次に図１６を参照すると、本明細書で提示する様々な実施形態によるワイヤレス通信システム１６００が示されている。システム１６００は、複数のアンテナグループを含むことができる基地局１６０２を備える。たとえば、１つのアンテナグループはアンテナ１６０４および１６０６を含み、別のグループはアンテナ１６０８および１６１０を備え、さらなるグループはアンテナ１６１２および１６１４を含むことができる。アンテナグループごとに２つのアンテナが示されているが、グループごとにより多いまたはより少ないアンテナが利用され得る。基地局１６０２は、さらに、送信機チェーンおよび受信機チェーンを含むことができ、送信機チェーンおよび受信機チェーンの各々は、諒解されるように、信号送信および受信に関連する複数の構成要素（たとえば、プロセッサ、変調器、マルチプレクサ、復調器、デマルチプレクサ、アンテナなど）を備えることができる。
【０１０９】
基地局１６０２は、モバイルデバイス１６１６およびモバイルデバイス１６２２など、１つまたは複数のモバイルデバイスと通信することができるが、基地局１６０２は、モバイルデバイス１６１６および１６２２と同様の実質的にいかなる数のモバイルデバイスとも通信することができることを諒解されたい。モバイルデバイス１６１６および１６２２は、たとえば、セルラー電話、スマートフォン、ラップトップ、ハンドヘルド通信デバイス、ハンドヘルドコンピューティングデバイス、衛星ラジオ、全地球測位システム、ＰＤＡ、および／またはワイヤレス通信システム１６００を介して通信するための他の適切なデバイスであり得る。図示のように、モバイルデバイス１６１６は、アンテナ１６１２および１６１４と通信しており、アンテナ１６１２および１６１４は、順方向リンク１６１８を介して情報をモバイルデバイス１６１６に送信し、逆方向リンク１６２０を介してモバイルデバイス１６１６から情報を受信する。その上、モバイルデバイス１６２２はアンテナ１６０４および１６０６と通信しており、アンテナ１６０４および１６０６は、順方向リンク１６２４を介して情報をモバイルデバイス１６２２に送信し、逆方向リンク１６２６を介してモバイルデバイス１６２２から情報を受信する。周波数分割複信（ＦＤＤ）システムでは、たとえば、順方向リンク１６１８は、逆方向リンク１６２０によって使用される周波数帯域とは異なる周波数帯域を利用し、順方向リンク１６２４は、逆方向リンク１６２６によって採用される周波数帯域とは異なる周波数帯域を採用することができる。さらに、時分割複信（ＴＤＤ）システムでは、順方向リンク１６１８および逆方向リンク１６２０は共通の周波数帯域を利用し、順方向リンク１６２４および逆方向リンク１６２６は共通の周波数帯域を利用することができる。
【０１１０】
アンテナの各グループおよび／またはそれらが通信するように指定されたエリアは、基地局１６０２のセクタと呼ばれることがある。たとえば、アンテナグループは、基地局１６０２によってカバーされるエリアのセクタ中のモバイルデバイスに通信するように設計され得る。順方向リンク１６１８および１６２４を介した通信では、基地局１６０２の送信アンテナは、モバイルデバイス１６１６および１６２２についての順方向リンク１６１８および１６２４の信号対雑音比を向上させるためにビームフォーミングを利用することができる。また、基地局１６０２が、関連するカバレージ中に不規則に散在するモバイルデバイス１６１６および１６２２に送信するためにビームフォーミングを利用する間は、基地局が単一のアンテナを介してその基地局のすべてのモバイルデバイスに送信する場合と比較して、隣接セル内のモバイルデバイスは干渉を受けにくいことがある。その上、モバイルデバイス１６１６および１６２２は、図示のようにピアツーピアまたはアドホック技術を使用して互いに直接通信することができる。一例によれば、システム１６００は多入力多出力（ＭＩＭＯ）通信システムであり得る。さらに、たとえば、基地局１６０２は、説明したように、１つまたは複数のアクセスポイントへの１つまたは複数の経路損失測定値に基づいてデバイス１６１６および／または１６２２の送信電力キャップを設定することができる。
【０１１１】
図１７に、例示的なワイヤレス通信システム１７００を示す。ワイヤレス通信システム１７００には、簡潔のために、１つの基地局１７１０と、１つのモバイルデバイス１７５０とを示してある。ただし、システム１７００は、２つ以上の基地局および／または２つ以上のモバイルデバイスを含むことができ、追加の基地局および／またはモバイルデバイスは、以下で説明する例示的な基地局１７１０およびモバイルデバイス１７５０と実質的に同様または異なるものであり得ることを諒解されたい。さらに、基地局１７１０および／またはモバイルデバイス１７５０は、それらの間のワイヤレス通信を可能にするために、本明細書で説明するシステム（図１〜図４および図１３〜図１６）、モバイルデバイス（図１２）、および／または方法（図５〜図１１）を採用することができることを諒解されたい。たとえば、本明細書で説明するシステムおよび／または方法の構成要素または機能は、以下で説明するメモリ１７３２および／または１７７２あるいはプロセッサ１７３０および／または１７７０の一部であり得、ならびに／あるいは開示する機能を実行するためにプロセッサ１７３０および／または１７７０によって実行され得る。
【０１１２】
基地局１７１０において、いくつかのデータストリームのトラフィックデータがデータソース１７１２から送信（ＴＸ）データプロセッサ１７１４に供給される。一例によれば、各データストリームはそれぞれのアンテナを介して送信され得る。ＴＸデータプロセッサ１７１４は、トラフィックデータストリーム用に選択された特定の符号化方式に基づいて、そのトラフィックデータストリームをフォーマット化し、符号化し、インターリーブして、符号化データを与える。
【０１１３】
各データストリームの符号化データは、直交周波数分割多重化（ＯＦＤＭ）技法を使用してパイロットデータで多重化され得る。追加または代替として、パイロットシンボルは、周波数分割多重化（ＦＤＭ）、時分割多重化（ＴＤＭ）、または符号分割多重化（ＣＤＭ）され得る。パイロットデータは、一般に、知られている方法で処理される知られているデータパターンであり、チャネル応答を推定するためにモバイルデバイス１７５０において使用され得る。各データストリームの多重化されたパイロットおよび符号化データは、そのデータストリーム用に選択された特定の変調方式（たとえば、２位相シフトキーイング（ＢＰＳＫ）、４位相シフトキーイング（ＱＰＳＫ）、Ｍ位相シフトキーイング（Ｍ−ＰＳＫ）、多値直交振幅変調（Ｍ−ＱＡＭ）など）に基づいて変調（たとえば、シンボルマッピング）され得、変調シンボルを与えることができる。各データストリームのデータレート、符号化、および変調は、プロセッサ１７３０によって実行または提供される命令によって判断され得る。
【０１１４】
データストリームの変調シンボルはＴＸ  ＭＩＭＯプロセッサ１７２０に供給され、ＴＸ  ＭＩＭＯプロセッサ１７２０は、（たとえば、ＯＦＤＭ用に）変調シンボルをさらに処理することができる。次いで、ＴＸ  ＭＩＭＯプロセッサ１７２０はＮT個の変調シンボルストリームをＮT個の送信機（ＴＭＴＲ）１７２２ａ〜１７２２ｔに供給する。様々な実施形態では、ＴＸ  ＭＩＭＯプロセッサ１７２０は、データストリームのシンボルと、シンボルの送信元のアンテナとにビームフォーミング重みを適用する。
【０１１５】
各送信機１７２２は、それぞれのシンボルストリームを受信し、処理して、１つまたは複数のアナログ信号を与え、さらに、それらのアナログ信号を調整（たとえば、増幅、フィルタ処理、およびアップコンバート）して、ＭＩＭＯチャネルを介して送信するのに適した被変調信号（modulated signal）を与える。さらに、送信機１７２２ａ〜１７２２ｔからのＮT個の被変調信号は、それぞれＮT個のアンテナ１７２４ａ〜１７２４ｔから送信される。
【０１１６】
モバイルデバイス１７５０では、送信された被変調信号はＮR個のアンテナ１７５２ａ〜１７５２ｒによって受信され、各アンテナ１７５２からの受信信号は、それぞれの受信機（ＲＣＶＲ）１７５４ａ〜１７５４ｒに供給される。各受信機１７５４は、それぞれの信号を調整（たとえば、フィルタ処理、増幅、およびダウンコンバート）し、調整された信号をデジタル化してサンプルを与え、さらに、それらのサンプルを処理して、対応する「受信」シンボルストリームを与える。
【０１１７】
ＲＸデータプロセッサ１７６０は、特定の受信機処理技法に基づいてＮR個の受信機１７５４からＮR個の受信シンボルストリームを受信し、処理して、ＮT個の「検出」シンボルストリームを与えることができる。ＲＸデータプロセッサ１７６０は、各検出シンボルストリームを復調し、デインターリーブし、復号して、データストリームのトラフィックデータを復元することができる。ＲＸデータプロセッサ１７６０による処理は、基地局１７１０においてＴＸ  ＭＩＭＯプロセッサ１７２０およびＴＸデータプロセッサ１７１４によって実行される処理を補足するものである。
【０１１８】
逆方向リンクメッセージは、通信リンクおよび／または受信データストリームに関する様々なタイプの情報を備えることができる。逆方向リンクメッセージは、データソース１７３６からいくつかのデータストリームのトラフィックデータをも受信するＴＸデータプロセッサ１７３８によって処理され、変調器１７８０によって変調され、送信機１７５４ａ〜１７５４ｒによって調整され、基地局１７１０に戻される。
【０１１９】
基地局１７１０において、モバイルデバイス１７５０からの被変調信号は、アンテナ１７２４によって受信され、受信機１７２２によって調整され、復調器１７４０によって復調され、ＲＸデータプロセッサ１７４２によって処理されて、モバイルデバイス１７５０によって送信された逆方向リンクメッセージが抽出される。さらに、プロセッサ１７３０は、抽出されたメッセージを処理して、ビームフォーミング重みを判断するためにどのプリコーディング行列（precoding matrix）を使用すべきかを判断することができる。
【０１２０】
プロセッサ１７３０および１７７０は、それぞれ基地局１７１０およびモバイルデバイス１７５０における動作を指示（たとえば、制御、調整、管理など）することができる。それぞれのプロセッサ１７３０および１７７０は、プログラムコードおよびデータを記憶するメモリ１７３２および１７７２に結合され得る。プロセッサ１７３０および１７７０は、説明したように、送信電力キャップを判断すること、その送信電力キャップを調整するためのトリガまたはイベントが生じたと判断することなどが可能である。
【０１２１】
図１８に、本明細書の教示が実装され得る、何人かのユーザをサポートするように構成されたワイヤレス通信システム１８００を示す。システム１８００は、たとえば、マクロセル１８０２Ａ〜１８０２Ｇなど、複数のセル１８０２の通信を可能にし、各セルは、対応するアクセスノード１８０４（たとえば、アクセスノード１８０４Ａ〜１８０４Ｇ）によってサービスされる。図１８に示すように、アクセス端末１８０６（たとえば、アクセス端末１８０６Ａ〜１８０６Ｌ）は、時間とともにシステム全体にわたって様々なロケーションに分散され得る。各アクセス端末１８０６は、たとえば、アクセス端末１８０６がアクティブかどうか、およびアクセス端末１８０６がソフトハンドオフ中かどうかに応じて、所与の瞬間に順方向リンク（ＦＬ）および／または逆方向リンク（ＲＬ）上で１つまたは複数のアクセスノード１８０４と通信することができる。ワイヤレス通信システム１８００は広い地理的領域にわたってサービスを提供することができる。
【０１２２】
図１９に、１つまたは複数のフェムトノードがネットワーク環境内に展開された例示的な通信システム１９００を示す。特に、システム１９００は、比較的小規模のネットワーク環境中に（たとえば、１つまたは複数のユーザ住居１９３０中に）設置された複数のフェムトノード１９１０Ａおよび１９１０Ｂ（たとえば、フェムトセルノードまたはＨ（ｅ）ＮＢ）を含む。各フェムトノード１９１０は、デジタル加入者回線（ＤＳＬ）ルータ、ケーブルモデム、ワイヤレスリンク、または他の接続手段（図示せず）を介して、ワイドエリアネットワーク１９４０（たとえば、インターネット）とモバイル事業者コアネットワーク１９５０とに結合され得る。以下で説明するように、各フェムトノード１９１０は、関連するアクセス端末１９２０（たとえば、アクセス端末１９２０Ａ）、および、随意に、エイリアンアクセス端末（alien access terminals）１９２０（たとえば、アクセス端末１９２０Ｂ）をサービスするように構成され得る。言い換えれば、フェムトノード１９１０へのアクセスは、所与のアクセス端末１９２０が、指定された（１つまたは複数の）（たとえば、ホーム）フェムトノード１９１０のセットによってサービスされ得るが、指定されていないフェムトノード１９１０（たとえば、隣の（neighbor’s）フェムトノード）によってはサービスされ得ないように制限され得る。
【０１２３】
図２０に、いくつかのトラッキングエリア２００２（またはルーティングエリアまたはロケーションエリア）が画定されたカバレージマップ２０００の例を示し、そのエリアの各々はいくつかのマクロカバレージエリア２００４を含む。ここで、トラッキングエリア２００２Ａ、２００２Ｂ、および２００２Ｃに関連するカバレージのエリアは太線によって示され、マクロカバレージエリア２００４は六角形によって表される。トラッキングエリア２００２はフェムトカバレージエリア２００６をも含む。この例では、フェムトカバレージエリア２００６（たとえば、フェムトカバレージエリア２００６Ｃ）の各々は、マクロカバレージエリア２００４（たとえば、マクロカバレージエリア２００４Ｂ）内に示される。ただし、フェムトカバレージエリア２００６は、完全にマクロカバレージエリア２００４内にあるとは限らないことを諒解されたい。実際には、多数のフェムトカバレージエリア２００６が所与のトラッキングエリア２００２またはマクロカバレージエリア２００４とともに画定され得る。また、１つまたは複数のピコカバレージエリア（図示せず）が所与のトラッキングエリア２００２またはマクロカバレージエリア２００４内に画定され得る。
【０１２４】
再び図１９を参照すると、フェムトノード１９１０の所有者は、たとえば、３Ｇモバイルサービスなど、モバイル事業者コアネットワーク１９５０を介して提供されるモバイルサービスに加入することができる。さらに、アクセス端末１９２０は、マクロ環境と、より小規模の（たとえば、宅内）ネットワーク環境の両方で動作することが可能であり得る。したがって、たとえば、アクセス端末１９２０の現在のロケーションに応じて、アクセス端末１９２０は、アクセスノード１９６０によって、または、フェムトノード１９１０のセットのうちのいずれか１つ（たとえば、対応するユーザ住居１９３０内に常駐するフェムトノード１９１０Ａおよび１９１０Ｂ）によってサービスされ得る。たとえば、加入者は、自宅の外にいるときは標準のマクロセルアクセスノード（たとえば、ノード１９６０）によってサービスされ、自宅にいるときはフェムトノード（たとえば、ノード１９１０Ａ）によってサービスされる。ここで、フェムトノード１９１０は既存のアクセス端末１９２０と後方互換性があり得ることを諒解されたい。
【０１２５】
フェムトノード１９１０は、単一の周波数上に展開され、または代替として、複数の周波数上に展開され得る。特定の構成に応じて、単一の周波数、あるいは複数の周波数のうちの１つまたは複数は、マクロセルアクセスノード（たとえば、ノード１９６０）によって使用される１つまたは複数の周波数と重複することがある。いくつかの態様では、アクセス端末１９２０は、そのような接続性が可能であるときはいつでも、好ましいフェムトノード（たとえば、アクセス端末１９２０のホームフェムトノード）に接続するように構成され得る。たとえば、アクセス端末１９２０は、ユーザの住居１９３０内にあるときはいつでも、ホームフェムトノード１９１０と通信することができる。
【０１２６】
いくつかの態様では、アクセス端末１９２０がモバイル事業者コアネットワーク１９５０内で動作しているが、（たとえば、好適ローミングリスト中で定義された）それの最も好適なネットワーク上に常駐していない場合、アクセス端末１９２０は、ベターシステムリセレクション（Better System Reselection）（ＢＳＲ）を使用して、最も好適なネットワーク（たとえば、フェムトノード１９１０）を探索し続けることができ、ベターシステムリセレクションでは、より良好なシステムが現在利用可能であるかどうかを判断するために利用可能なシステムの周期的スキャニングを行い、その後、そのような好適なシステムに関連付けようとすることができる。（たとえば、好適ローミングリスト中の）収集テーブルエントリを使用して、一例では、アクセス端末１９２０は、特定の帯域およびチャネルについて探索を制限することができる。たとえば、最も好適なシステムの探索が周期的に繰り返され得る。フェムトノード１９１０など好適なフェムトノードが発見されると、アクセス端末１９２０は、それのカバレージエリア内にキャンプする（camping）ためのフェムトノード１９１０を選択する。
【０１２７】
フェムトノードは、いくつかの態様では、制限され得る。たとえば、所与のフェムトノードが、いくつかのサービスをいくつかのアクセス端末のみに提供することができる。いわゆる制限（または限定）された関連付けを用いた展開では、所与のアクセス端末が、マクロセルモバイルネットワークと、フェムトノードの定義されたセット（たとえば、対応するユーザ住居１９３０内に常駐するフェムトノード１９１０）とによってのみサービスされ得る。いくつかの実装形態では、フェムトノードが、少なくとも１つのアクセス端末に、シグナリング、データアクセス、登録、ページング、またはサービスのうちの少なくとも１つを与えないように制限され得る。
【０１２８】
いくつかの態様では、（限定加入者グループ（Closed Subscriber Group）Ｈ（ｅ）ＮＢと呼ばれることもある）制限されたフェムトノードが、アクセス端末の制限されたプロビジョニングされた（provisioned）セットにサービスを提供するノードである。このセットは、必要に応じて一時的にまたは永続的に拡大され得る。いくつかの態様では、限定加入者グループ（Closed Subscriber Group）（ＣＳＧ）が、アクセス端末の共通のアクセス制御リストを共有するアクセスノード（たとえば、フェムトノード）のセットとして定義され得る。領域中のすべてのフェムトノード（またはすべての制限されたフェムトノード）が動作するチャネルは、フェムトチャネルと呼ばれることがある。
【０１２９】
したがって、所与のフェムトノードと所与のアクセス端末との間に様々な関係が存在することがある。たとえば、アクセス端末の観点から、オープンフェムトノードが、制限された関連付けをもたないフェムトノードを指すことがある。制限されたフェムトノードは、何らかの形で制限された（たとえば、関連付けおよび／または登録について制限された）フェムトノードを指すことがある。ホームフェムトノードは、アクセス端末がアクセスし、その上で動作することを許可されるフェムトノードを指すことがある。ゲストフェムトノードは、アクセス端末がアクセスすることまたはその上で動作することを一時的に許可されるフェムトノードを指すことがある。エイリアンフェムトノードは、おそらく非常事態（たとえば、９１１番）を除いて、アクセス端末がアクセスすることまたはその上で動作することを許可されないフェムトノードを指すことがある。
【０１３０】
制限されたフェムトノードの観点から、ホームアクセス端末は、制限されたフェムトノードへのアクセスを許可されるアクセス端末を指すことがある。ゲストアクセス端末は、制限されたフェムトノードへの一時的アクセスをもつアクセス端末を指すことがある。エイリアンアクセス端末は、おそらく非常事態、たとえば、９１１番を除いて、制限されたフェムトノードにアクセスする許可を有しないアクセス端末（たとえば、制限されたフェムトノードに登録するための証明書または許可を有しないアクセス端末）を指すことがある。
【０１３１】
便宜のために、本明細書の開示では、フェムトノードの文脈で様々な機能について説明する。ただし、ピコノードは、フェムトノードと同じまたは同様の機能をより大きいカバレージエリアに提供することができることを諒解されたい。たとえば、所与のアクセス端末に対して、ピコノードを制限すること、ホームピコノードを定義することなどが行われ得る。
【０１３２】
ワイヤレス多元接続通信システムは、複数のワイヤレスアクセス端末のための通信を同時にサポートすることができる。上述のように、各端末は、順方向リンクおよび逆方向リンク上の送信を介して１つまたは複数の基地局と通信することができる。順方向リンク（またはダウンリンク）は基地局から端末への通信リンクを指し、逆方向リンク（またはアップリンク）は端末から基地局への通信リンクを指す。この通信リンクは、単一入力単一出力システム、ＭＩＭＯシステム、または何らかの他のタイプのシステムを介して確立され得る。
【０１３３】
本明細書で開示した実施形態に関して説明した様々な例示的な論理、論理ブロック、モジュール、構成要素、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、そのプロセッサは任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。さらに、少なくとも１つのプロセッサは、上記で説明したステップおよび／またはアクションのうちの１つまたは複数を実行するように動作可能な１つまたは複数のモジュールを備え得る。例示的な記憶媒体は、プロセッサが記憶媒体から情報を読み取り、記憶媒体に情報を書き込むことができるようにプロセッサに結合され得る。代替として、記憶媒体はプロセッサに一体化され得る。さらに、いくつかの態様では、プロセッサおよび記憶媒体はＡＳＩＣ中に常駐し得る。さらに、ＡＳＩＣはユーザ端末中に常駐し得る。代替として、プロセッサおよび記憶媒体は、ユーザ端末中に個別構成要素として常駐し得る。
【０１３４】
１つまたは複数の態様では、説明した機能、方法、またはアルゴリズムは、ハードウェア、ソフトウェア、ファームウェア、またはそれらの任意の組合せで実装され得る。ソフトウェアで実装する場合、その機能は、１つまたは複数の命令またはコードとして、コンピュータプログラム製品に組み込まれ得る、コンピュータ可読媒体上に記憶されるか、あるいはコンピュータ可読媒体上で送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを運びまたは記憶するために使用され得、コンピュータによってアクセスされ得る、任意の他の媒体を備えることができる。また、実質的にいかなる接続もコンピュータ可読媒体と呼ばれ得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、通常、データをレーザで光学的に再生する。上記の組合せもコンピュータ可読媒体の範囲内に含めるべきである。
【０１３５】
上記の開示は、例示的な態様および／または実施形態について論じたが、添付の特許請求の範囲によって定義された記載の態様および／または実施形態の範囲から逸脱することなく、様々な変更および改変を本明細書で行うことができることに留意されたい。さらに、記載の態様および／または実施形態の要素は、単数形で説明または請求されていることがあるが、単数形に限定することが明示的に述べられていない限り、複数形が企図される。さらに、任意の態様および／または実施形態の全部または一部は、別段の規定がない限り、任意の他の態様および／または実施形態の全部または一部とともに利用され得る。
【図１】
2013539614.tif 000016
【図２】
2013539614.tif 000017
【図３】
2013539614.tif 000018
【図４】
2013539614.tif 000019
【図５】
2013539614.tif 000020
【図６】
2013539614.tif 000021
【図７】
2013539614.tif 000022
【図８】
2013539614.tif 000023
【図９】
2013539614.tif 000024
【図１０】
2013539614.tif 000025
【図１１】
2013539614.tif 000026
【図１２】
2013539614.tif 000027
【図１３】
2013539614.tif 000028
【図１４】
2013539614.tif 000029
【図１５】
2013539614.tif 000030
【図１６】
2013539614.tif 000031
【図１７】
2013539614.tif 000032
【図１８】
2013539614.tif 000033
【図１９】
2013539614.tif 000034
【図２０】
2013539614.tif 000035
【国際調査報告】
2013539614.tif 000036
2013539614.tif 000037
2013539614.tif 000038